(57)【要約】【課題】  主制御部が実行する制御処理に必要なデータの増加を抑えつつ、連続予告等の演出の設定自由度を大きくすることが出来、それによって、遊技者を楽しませることが出来る、新規な構造のパチンコ機を提供することを目的とする。【解決手段】  特定演出報知手段（Ｓ３７）によって特定演出方法の採用決定が表示制御部１１２に報知されると、表示制御部１１２に設けられた報知パターン強制決定手段（Ｓ７８）が複数の変動図柄４０ａ〜ｃの報知パターンとして特定の報知パターンを選択決定し、かかる選択決定した特定の報知パターンを報知パターン決定手段（Ｓ８０）によって決定された報知パターンの如何に拘わらず採用するようにした。【選択図】      図２８
2005160589.tif 000002
【特許請求の範囲】
【請求項１】
遊技領域に設けられた始動入賞口に遊技球が入賞することにより取得される入賞球情報に基づいて該遊技領域に設けられた図柄表示装置に変動表示される複数の変動図柄の変動時間を決定する変動時間決定手段と、該入賞球情報を取得した順番で記憶して該複数の変動図柄の変動表示を保留する変動表示保留手段が、遊技動作を全体的に制御する主制御部に設けられている一方、該変動時間決定手段によって決定された該変動時間に基づいて該複数の変動図柄の報知パターンを決定する際に用いられる報知パターン選択テーブルを決定する選択テーブル決定手段と、該選択テーブル決定手段によって決定された該報知パターン選択テーブルに基づいて該複数の変動図柄の報知パターンを決定する報知パターン決定手段が、該図柄表示装置への該複数の変動図柄の変動表示を制御する表示制御部に設けられているパチンコ機において、
前記主制御部には、前記変動表示保留手段によって保留された前記複数の変動図柄の変動表示における演出方法として、複数回に亘って連続する特定演出方法を採用するか否かを決定する特定演出方法決定手段と、該特定演出方法決定手段において特定演出方法の採用が決定されたことを前記表示制御部に報知する特定演出報知手段とを設ける一方、該表示制御部には、該特定演出報知手段から該特定演出方法の採用決定が報知された場合に該複数の変動図柄の報知パターンとして特定の報知パターンを選択決定し、前記報知パターン決定手段によって決定された報知パターンの如何に拘わらずに該特定の報知パターンを採用する報知パターン強制決定手段を設けたことを特徴とするパチンコ機。
【請求項２】
前記特定演出方法決定手段によって前記特定演出方法の採用が決定された場合には、該特定演出方法が採用される前記複数の変動図柄の変動表示において用いられる変動時間を決定し、決定した変動時間を前記変動時間決定手段によって決定された変動時間の如何に拘わらず採用する変動時間強制決定手段を前記主制御部に設けた請求項１に記載のパチンコ機。
【請求項３】
前記特定演出方法決定手段によって前記特定演出方法の採用が決定された際に前記変動表示保留手段によって保留されている前記複数の変動図柄の変動表示の回数に応じて該特定演出方法の種類を決定する特定演出種類決定手段を前記主制御部に設けると共に、該特定演出種類決定手段によって決定された該特定演出方法の種類を前記特定演出報知手段が前記表示制御部に報知する請求項１又は２に記載のパチンコ機。
【請求項４】
前記入賞球情報に基づいて遊技者に有利な特別遊技状態の発生を判定する特別遊技発生判定手段が前記主制御部に設けられており、該特別遊技発生判定手段によって該特別遊技状態が発生すると判定された場合に前記特定演出方法決定手段によって前記特定演出方法の採用が決定される確率が、該特別遊技発生判定手段によって該特別遊技状態が発生しないと判定された場合に該特定演出方法決定手段によって該特定演出方法の採用が決定される確率よりも大きくされている請求項１乃至３の何れかに記載のパチンコ機。
【請求項５】
前記入賞球情報に基づいて遊技者に有利な特別遊技状態の発生を判定する特別遊技発生判定手段が前記主制御部に設けられており、該特別遊技発生判定手段によって該特別遊技状態が発生すると判定された場合には、前記変動表示保留手段が保留する前記複数の変動図柄の変動表示の回数が多くなるに従って前記特定演出方法決定手段によって前記特定演出方法の採用が決定される確率が高くなる請求項１乃至４の何れかに記載のパチンコ機。
【請求項６】
前記主制御部には、前記特定演出方法の採用が決定されたか否かを判定する特定演出判定手段が設けられており、該特定演出判定手段によって該特定演出方法の採用が決定されていると判定された場合には、該特定演出判定手段によって該特定演出方法の採用が決定されていないと判定されるまで前記特定演出方法決定手段によって該特定演出方法の採用が決定されないようになっている請求項１乃至５の何れかに記載のパチンコ機。
【発明の詳細な説明】
【技術分野】
【０００１】
本発明は、遊技領域に設けられた図柄表示装置において複数の変動図柄を変動表示すると共に、それら複数の変動図柄を予め定められた特定の表示態様で停止表示した場合に遊技者に有利な特別遊技状態を発生させるパチンコ機に係り、特に、パチンコ機の遊技動作を全体的に制御する主制御部におけるデータ容量やプログラム容量の増加を抑えつつ、図柄表示装置において複数の変動図柄を変動表示する際の演出の設定自由度を大きくすることが出来る、新規な構造のパチンコ機に関するものである。
【背景技術】
【０００２】
従来から、遊技領域に設けられた図柄表示装置において複数の変動図柄を変動表示すると共に、それら複数の変動図柄を予め定められた特定の表示態様で停止表示した場合に遊技者に有利な特別遊技状態を発生させるパチンコ機が知られている。
【０００３】
このようなパチンコ機は、一般的に、パチンコ機の遊技動作を全体的に制御する主制御部と、図柄表示装置において複数の変動図柄の変動表示を制御する表示制御部を備えており、遊技領域に設けられた始動入賞口に遊技球が入賞することにより取得した入賞球情報に基づいて主制御部が変動時間を決定する一方、表示制御部が、主制御部によって決定された変動時間に基づいて複数の変動図柄の報知パターンを決定する際に用いられる報知パターン選択テーブルを選択決定すると共に、決定した報知パターン選択テーブルに基づいて報知パターンを選択決定するようになっている。
【０００４】
そして、このようなパチンコ機においては、遊技者の興味を惹きつけると共に、遊技を盛り上げて、遊技者を楽しませるという観点から、複数の変動図柄を変動表示する際の演出に趣向を凝らしている場合が多い。その一種として、例えば、特許文献１等に記載されているように、複数の変動図柄の変動表示に際して特別遊技状態が発生する可能性が高いことを遊技者に報知する、所謂大当たり予告を、少なくとも二回以上の変動表示に亘って連続して行うようにしたものが提案されている。
【０００５】
ところで、このように連続して大当たり予告を行う場合には、主制御部側において、ただ単に複数の変動図柄の変動時間を決定するだけでは、主制御部側で決定された変動時間に対応する報知パターン選択テーブルが二つ以上の報知パターンをもっている場合に、それらの報知パターンからランダムに報知パターンが選択される可能性があり、設計者の意図する報知パターンによって連続して大当たり予告が行われない可能性がある。
【０００６】
そこで、報知パターン選択テーブルとして数種類の報知パターンから構成されているものと、一種類の報知パターンのみから構成されているものを用意し、連続して大当たり予告を行う場合には、一種類の報知パターンのみから構成されている報知パターン選択テーブルを用いて報知パターンを選択決定する一方、そうでない場合には、数種類の報知パターンから構成されている報知パターン選択テーブルを用いて報知パターンを選択決定する構成を採用し、それによって、設計者の意図する報知パターンによって連続して大当たり予告を行うことが考えられる。
【０００７】
しかしながら、このような構成を採用すると、連続して大当たり予告を行う場合において一種類の報知パターンのみから構成されている報知パターン選択テーブルを必ず選択させるための変動時間のデータを主制御部側に用意する必要があり、それによって、主制御部が制御処理を行う際に必要なデータが増えてしまうという問題がある。
【０００８】
【特許文献１】特開平１１−４７３６８号公報
【発明の開示】
【発明が解決しようとする課題】
【０００９】
ここにおいて、本発明は、上述の如き事情を背景として為されたものであり、その解決課題とするところは、主制御部が制御処理を行う際に必要なデータの増加を抑えつつ、連続予告等の演出の設定自由度を大きくすることが出来、それによって、遊技者を楽しませることが出来る、新規な構造のパチンコ機を提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いは、それらの記載から当業者が把握することが出来る発明思想に基づいて認識されるものであることが理解されるべきである。
【００１１】
本発明の第一の態様は、遊技領域に設けられた始動入賞口に遊技球が入賞することにより取得される入賞球情報に基づいて該遊技領域に設けられた図柄表示装置に変動表示される複数の変動図柄の変動時間を決定する変動時間決定手段と、該入賞球情報を取得した順番で記憶して該複数の変動図柄の変動表示を保留する変動表示保留手段が、遊技動作を全体的に制御する主制御部に設けられている一方、該変動時間決定手段によって決定された該変動時間に基づいて該複数の変動図柄の報知パターンを決定する際に用いられる報知パターン選択テーブルを決定する選択テーブル決定手段と、該選択テーブル決定手段によって決定された該報知パターン選択テーブルに基づいて該複数の変動図柄の報知パターンを決定する報知パターン決定手段が、該図柄表示装置への該複数の変動図柄の変動表示を制御する表示制御部に設けられているパチンコ機において、前記主制御部には、前記変動表示保留手段によって保留された前記複数の変動図柄の変動表示における演出方法として、複数回に亘って連続する特定演出方法を採用するか否かを決定する特定演出方法決定手段と、該特定演出方法決定手段において特定演出方法の採用が決定されたことを前記表示制御部に報知する特定演出報知手段とを設ける一方、該表示制御部には、該特定演出報知手段から該特定演出方法の採用決定が報知された場合に該複数の変動図柄の報知パターンとして特定の報知パターンを選択決定し、前記報知パターン決定手段によって決定された報知パターンの如何に拘わらずに該特定の報知パターンを採用する報知パターン強制決定手段を設けたことを、特徴とする。
【００１２】
このような本態様に従う構造とされたパチンコ機においては、特定演出報知手段から特定演出方法の採用決定が報知された場合には、報知パターン強制決定手段が複数の変動図柄の報知パターンとして特定の報知パターンを選択決定し、かかる特定の報知パターンを報知パターン決定手段によって決定された報知パターンの如何に拘わらず採用するようになっていることから、特定演出方法が採用される場合には、複数の変動図柄の変動表示が設計者の意図する報知パターン（特定の報知パターン）に基づいて行われることとなり、それによって、複数回に亘って連続する複数の変動図柄の変動表示において目的とする演出を行うことが可能となる。従って、本態様においては、例えば、大当たり予告を連続して行う場合に、それら連続した大当たり予告に関連性をもたせることが可能となり、それによって、遊技を盛り上げて、遊技者を楽しませることが可能となる。
【００１３】
特に、本態様においては、表示制御部に対して報知パターン決定手段の他に、報知パターン強制決定手段が設けられていることから、報知パターン決定手段に特定の報知パターンを選択決定させる場合に比して、主制御部側に報知パターン決定手段が特定の報知パターンを選択決定するためのデータを別途設ける必要がなくなる。その結果、本態様に従えば、主制御部が実行する制御処理に必要なデータの増加を抑えつつ、演出の設定自由度を大きくすることが可能となる。
【００１４】
なお、本態様における主制御部および表示制御部は、それぞれ、制御プログラムに基づいて制御処理を実行するＣＰＵと、制御プログラムや制御処理に必要なデータが記憶されたＲＯＭを含んで構成される。
【００１５】
また、本態様における入賞球情報とは、例えば、所定周期で発生する割り込み信号毎に値を更新するカウンタのカウンタ値によって構成される。更に、入賞球情報は一つであっても良いし、複数であっても良い。更にまた、本態様において、入賞球情報は、遊技球の始動入賞口への入賞と同時に取得されるもののみならず、例えば、変動時間決定手段が変動時間を決定する際に取得乃至は参照されるものをも含む。
【００１６】
さらに、本態様における変動時間決定手段，変動表示保留手段，特定演出方法決定手段および特定演出報知手段は、それぞれ、例えば、主制御部を構成するＣＰＵが、制御プログラムに従って所定の制御処理を実行することによって有利に実現される。また、本態様における選択テーブル決定手段，報知パターン決定手段および報知パターン強制決定手段は、それぞれ、例えば、表示制御部を構成するＣＰＵが、制御プログラムに従って所定の制御処理を実行することによって有利に実現される。
【００１７】
更にまた、本態様における特定演出方法とは、例えば、大当たりになるかもしれないことを遊技者に対して連続して予告する連続予告等、遊技者の興味を惹きつけるための特別な演出方法をいうものとする。
【００１８】
また、本態様における報知パターンとは、例えば、複数の変動図柄が図柄表示装置において上下方向や左右方向等にスクロールしながら行う変動表示や、それまでの方向とは異なる方向にスクロールしながら行う変動表示等のように、複数の変動図柄の変動表示自体を規定するもののみならず、複数の変動図柄の後に映し出されている背景が変更されるものや複数の変動図柄の変動表示中にキャラクタが現れるもの等も含む。
【００１９】
さらに、本態様において「前記報知パターン決定手段によって決定された報知パターンの如何に拘わらずに該特定の報知パターンを採用する」とは、例えば、特定演出方法の採用決定が報知された場合は報知パターン決定手段による報知パターンの決定が行われないようにすることで、或いは、報知パターン決定手段によって決定された報知パターンを報知パターン強制決定手段によって決定された特定の報知パターンに書き換えることで有利に実現することが出来る。
【００２０】
本発明の第二の態様は、前記第一の態様に係るパチンコ機において、前記特定演出方法決定手段によって前記特定演出方法の採用が決定された場合には、該特定演出方法が採用される前記複数の変動図柄の変動表示において用いられる変動時間を決定し、決定した変動時間を前記変動時間決定手段によって決定された変動時間の如何に拘わらず採用する変動時間強制決定手段を前記主制御部に設けたことを、特徴とする。このような本態様に従う構造とされたパチンコ機においては、特定演出方法の採用が決定された場合には、特定演出方法が採用される複数の変動図柄の変動表示において用いられる変動時間を決定し、決定した変動時間を変動時間決定手段によって決定された変動時間の如何に拘わらず採用するようになっていることから、特定演出方法の採用が決定された場合における複数の変動図柄の変動表示が設計者の意図する変動時間に基づいて行われることとなり、それによって、複数回に亘って連続する複数の変動図柄の変動表示において目的とする演出を一層行いやすくすることが可能となる。
【００２１】
なお、本態様における変動時間強制決定手段とは、例えば、主制御部を構成するＣＰＵが制御プログラムに従って所定の制御処理を実行すること等で有利に実現することが出来る。
【００２２】
また、本態様において「決定した変動時間を前記変動時間決定手段によって決定された変動時間の如何に拘わらず採用する」とは、例えば、特定演出方法の採用が決定された場合は変動時間決定手段による変動時間の決定が行われないようにすることで、或いは、変動時間決定手段によって決定された変動時間を変動時間強制決定手段によって決定された変動時間に書き換えることで有利に実現することが出来る。
【００２３】
本発明の第三の態様は、前記第一又は第二の態様に係るパチンコ機において、前記特定演出方法決定手段によって前記特定演出方法の採用が決定された際に前記変動表示保留手段によって保留されている前記複数の変動図柄の変動表示の回数に応じて該特定演出方法の種類を決定する特定演出種類決定手段を前記主制御部に設けると共に、該特定演出種類決定手段によって決定された該特定演出方法の種類を前記特定演出報知手段が前記表示制御部に報知することを、特徴とする。このような本態様に従う構造とされたパチンコ機においては、特定演出方法の採用が決定された際における複数の変動図柄の変動表示の保留回数に応じて特定演出方法の種類が決定されるようになっていることから、複数回に亘って連続する複数の変動図柄の変動表示における演出の設定自由度が向上せしめられることとなる。それ故、本態様に従えば、例えば、大当たり予告が連続して行われる回数を変化させることで、連続する大当たり予告（連続予告）のバリエーションを増やすことが可能となり、それによって、遊技者の興味を惹きつけることが可能となる。
【００２４】
なお、本態様における特定演出種類決定手段とは、例えば、主制御部を構成するＣＰＵが制御プログラムに従って所定の制御処理を実行すること等で有利に実現することが出来る。
【００２５】
また、本態様においては、特定演出種類決定手段によって決定された特定演出方法の種類を特定演出報知手段が表示制御部に報知するようになっているが、このように特定演出報知手段が特定演出方法の種類を報知することで特定演出方法決定手段において特定演出方法の採用が決定されたことを報知するようにしても良い。
【００２６】
本発明の第四の態様は、前記第一乃至第三の態様に係る遊技機において、前記入賞球情報に基づいて遊技者に有利な特別遊技状態の発生を判定する特別遊技発生判定手段が前記主制御部に設けられており、該特別遊技発生判定手段によって該特別遊技状態が発生すると判定された場合に前記特定演出方法決定手段によって前記特定演出方法の採用が決定される確率が、該特別遊技発生判定手段によって該特別遊技状態が発生しないと判定された場合に該特定演出方法決定手段によって該特定演出方法の採用が決定される確率よりも大きくされていることを、特徴とする。このような本態様に従えば、例えば、大当たり予告を連続して行う際に、特別遊技状態の発生に対する信憑性が向上せしめられることとなり、それによって、連続して大当たり予告が行われた場合に特別遊技状態の発生に対する期待感を遊技者に対してより一層与えることが可能となり、その結果、遊技者を楽しませることが可能となる。
【００２７】
なお、本態様における特別遊技発生判定手段とは、例えば、主制御部を構成するＣＰＵが、制御プログラムに従って所定の制御処理を実行することによって有利に実現される。
【００２８】
本発明の第五の態様は、前記第一乃至第四の何れかの態様に係るパチンコ機において、前記入賞球情報に基づいて遊技者に有利な特別遊技状態の発生を判定する特別遊技発生判定手段が前記主制御部に設けられており、該特別遊技発生判定手段によって該特別遊技状態が発生すると判定された場合には、前記変動表示保留手段が保留する前記複数の変動図柄の変動表示の回数が多くなるに従って前記特定演出方法決定手段によって前記特定演出方法の採用が決定される確率が高くなることを、特徴とする。このような本態様に従えば、複数の変動図柄の変動表示をより多く保留させるという新たな楽しみを遊技者に与えることが可能となる。また、本態様のパチンコ機においては、例えば、大当たり予告を連続して行う回数が増えるに従って、大当たりとなる確率が高くなることから、大当たり予告を連続して行う回数が増えるに従って、遊技者に対して大当たりが発生することへの期待感を高めることが可能となる。
【００２９】
また、本態様は、前記第三の態様と組合わせて採用することが望ましく、それによって、長期間に亘る特定演出方法が採用されやすくなり、その結果、遊技者の興味を惹きつけて、遊技者を楽しませることが一層容易に可能となる。
【００３０】
本発明の第六の態様は、前記第一乃至第五の何れかの態様に係るパチンコ機であって、前記主制御部には、前記特定演出方法の採用が決定されたか否かを判定する特定演出判定手段が設けられており、該特定演出判定手段によって該特定演出方法の採用が決定されていると判定された場合には、該特定演出判定手段によって該特定演出方法の採用が決定されていないと判定されるまで前記特定演出方法決定手段によって該特定演出方法の採用が決定されないようになっていることを、特徴とする。このような本態様に従えば、特定演出方法の採用が決定されている場合には新たな特定演出方法の採用が決定されないことから、採用された特定演出方法が最後まで滞りなく行われることとなり、それによって、採用された特定演出方法に対して最後まで遊技者の興味を惹きつけることが可能となる。
【００３１】
なお、本態様における特定演出判定手段とは、例えば、主制御部を構成するＣＰＵがＲＯＭに記憶された制御プログラムや制御データ等に基づいて予め定められた制御を実行すること等で有利に実現することが可能である。
【００３２】
また、本態様において「該特定演出判定手段によって該特定演出方法の採用が決定されていないと判定されるまで前記特定演出方法決定手段によって該特定演出方法の採用が決定されないようになっている」とは、例えば、特定演出方法の採用が決定されている場合には、特定演出方法決定手段による特定演出方法を採用するか否かの決定自体を行わないようにすることで、或いは、特定演出方法決定手段による特定演出方法を採用するか否かの決定自体は行うが、特定演出方法の採用を決定した場合には、その決定を取り消すことで有利に実現することが出来る。
【発明の効果】
【００３３】
上述の説明から明らかなように、本発明に従う構造とされたパチンコ機においては、特定演出報知手段から特定演出方法の採用決定が報知された場合に特定の報知パターンが選択決定されるようになっていることから、主制御部が実行する制御処理に必要なデータの増加を抑えつつ、設計者の意図に応じた報知パターンに基づいて複数の変動図柄の変動表示を行うことが出来るのである。
【発明を実施するための最良の形態】
【００３４】
以下、本発明を更に具体的に明らかにするために、本発明の実施形態について、図面を参照しつつ、詳細に説明する。
【００３５】
先ず、図１には、本発明の一実施形態としてのパチンコ機１０の正面図が示されている。パチンコ機１０は、所謂第１種パチンコ機である。パチンコ機１０は、始動入賞口１２，図柄表示装置としての液晶表示器１４，大入賞口１６等の各種構造物が配設された遊技盤１８を備えており、その遊技盤１８の前側は、ガラス扉２０により覆われている。このガラス扉２０は、枠体２２の前面にヒンジ部材等を介して開閉自在に取り付けられた前面枠２４に対して開閉自在に取り付けられている。そして、ガラス扉２０によって保持されたガラスを通して遊技領域２６をみることが出来るようになっている。
【００３６】
また、ガラス扉２０の下には、不図示の樋を介して排出される賞球を受ける上部受皿２８がスピーカを内蔵してプレート３０に配設されている。更に、この上部受皿２８の中央前面部には、パチンコ機１０に接続される図示しない球貸機の操作ボタンおよびカード残高表示装置が設けられている。そして、この上部受皿２８の下には、下部受皿３２が配設されている。また、上部受皿２８に連通する不図示の球送り機構を介して上部受皿２８のパチンコ球が操作ハンドル３４に連結された不図示の発射装置へ送られるよう構成されている。
【００３７】
続いて、パチンコ機１０における遊技盤１８上の遊技領域２６の構成について説明する。この遊技領域２６は、所定厚さの板材を為した遊技板上に始動入賞口１２等の各種構造物が所定位置に取り付けられ、それを囲むように環状のレール３６が取り付けられて構成されている。このレール３６は、発射されたパチンコ球を遊技領域２６内に案内する重複して形成した案内路を構成し、右肩部には、レール３６に沿って打ち込まれるパチンコ球の進行を制限するための段差部３８を有する。そして、その段差部３８には、軸支された返しゴム（図示されていない）が配設されている。また、遊技領域２６の略中央には、液晶表示器１４が遊技盤１８の裏面側から取り付けられている。この液晶表示器１４には、画面中央において、左，中，右に３つの変動図柄としての装飾図柄４０ａ〜ｃを表示する装飾図柄表示領域と、画面左下隅において、左，右に２つの特別図柄４２ａ，ｂを表示する特別図柄表示領域を備えている。
【００３８】
そこにおいて、２つの特別図柄４２ａ，ｂとは、３つの装飾図柄４０ａ〜ｃの変動表示の開始と略同時に変動表示が開始されると共に、３つの装飾図柄４０ａ〜ｃの停止表示と略同時に停止表示されるものであるが、３つの装飾図柄４０ａ〜ｃが遊技者を楽しませるために変動および停止表示されるのに対して、２つの特別図柄４２ａ，ｂは後述する当り判定の結果のみを報知するためだけに変動および停止表示されるものであることから、３つの装飾図柄４０ａ〜ｃには、左装飾図柄４０ａ，右装飾図柄４０ｃ，中装飾図柄４０ｂの順番で一つずつ停止する等、その変動表示および停止表示に工夫が施されているにも拘わらず、２つの特別図柄４２ａ，ｂには、２つ同時に変動表示を開始し、予め定められた態様で変動表示した後、２つ同時に停止表示する等、その変動表示および停止表示に対して特に工夫が施されていない。
【００３９】
また、液晶表示器１４の下方には、始動入賞口１２が設けられており、この始動入賞口１２に遊技球が入賞すると液晶表示器１４に表示されている３列の装飾図柄４０ａ〜ｃが変動表示される。更に、装飾図柄４０ａ〜ｃが変動表示されている最中等において遊技球が始動入賞口１２に入賞した場合には、装飾図柄４０ａ〜ｃの変動表示が４回まで保留されるようになっており、この保留された変動表示の回数が液晶表示器１４の上方に設けられた保留ＬＥＤ４４の発光を介して遊技者に報知されるようになっている。更にまた、液晶表示器１４の下方には、大入賞口１６が設けられており、かかる大入賞口１６の入口には、液晶表示器１４において３つの装飾図柄４０ａ〜ｃの図柄が揃って停止表示され、大当たりが発生した時に開閉する扉４６が設けられている。このことから明らかなように、本実施形態では、大当たりが発生すると大入賞口１６への遊技球の入賞が可能となり、それによって、遊技者は、大当たり発生していない場合よりも多くの賞球を得ることが出来る大当たり遊技を行うことが出来る。即ち、本実施形態では、大入賞口１６への遊技球の入賞が可能な大当たり遊技を行うことが出来る遊技状態が特別遊技状態となる。
【００４０】
次に、液晶表示器１４等を制御する主制御回路４８の構成について、図２に基づいて説明する。図２に示すように、主制御回路４８には、主制御回路４８の全体を制御する主制御ＣＰＵ５０と、制御プログラムや各種制御処理に必要なデータ等が記憶された主制御ＲＯＭ５２と、各種処理データ等を記憶する主制御ＲＡＭ５４と、入力ポート５６と、出力ポート５８とが設けられており、これらはバス５９により相互に接続されている。また、主制御ＣＰＵ５０には、クロック信号を出力するクロック回路６０が接続されている。
【００４１】
また、入力ポート５６には、始動入賞口１２に設けられて入賞球を検出する始動入賞口スイッチ６２，大入賞口１６の内部に設けられて大入賞口１６への入賞球のカウントを行うカウントスイッチ６４，大入賞口１６の内部に設けられて大入賞口１６の開放を継続するためのＶゾーンへの入賞球の検出を行う特別領域通過スイッチ６６等が接続されている。更に、出力ポート５８には、液晶表示器１４への図柄表示を行う表示制御回路６８，大入賞口１６の入口に配設された扉４６を開閉するための開閉用ソレノイド７０を駆動するソレノイド駆動回路７２，保留ＬＥＤ４４を発光制御する保留ＬＥＤ制御回路７４等が接続されている。
【００４２】
そして、主制御ＣＰＵ５０は、所定周期（例えば、４ｍｓ）毎にクロック回路６０からクロック信号が入力された場合には、主制御ＲＯＭ５２に記憶されているパラメータや制御プログラムに従って、後述する始動入賞口処理や表示処理を含んで構成された遊技処理を実行するようになっており、それによって、入力ポート５６を介して入力される入力信号等に基づいて各種制御信号を生成し、それら各種制御信号を出力ポート５８を介して表示制御回路６８やソレノイド駆動回路７２等に出力するようになっている。なお、入力ポート５６は、外部から入力されたアナログ信号等をデジタル信号に変換して出力する回路である。出力ポート５８は、主制御ＣＰＵ５０によって生成された各種データをシリアルデータ等に変換して出力する回路である。
【００４３】
また、主制御ＲＡＭ５４には、クロック回路６０から入力されるクロック信号に基づいて「０」〜「１９８」まで繰り返し加算した数値（最大値「１９８」の次は、最小値「０」に戻る）が格納される大当たり判定カウンタ７６が設けられている。更に、主制御ＲＡＭ５４には、クロック回路６０から出力されるクロック信号に基づいて「０」と「１」の何れかに数値が変更される図柄カウンタ７８が設けられている。更にまた、主制御ＲＡＭ５４には、クロック回路６０から入力されるクロック信号に基づいて「０」〜「５」まで繰り返し加算した数値（最大値「５」の次は、最小値「０」に戻る）が格納される変動パターン選択カウンタ８０が設けられている。また、主制御ＲＡＭ５４には、クロック回路６０から出力されるクロック信号に基づいて「０」〜「１００」まで繰り返し１ずつ加算した数値（最大値「１００」の次には、最小値「０」に戻る）が格納される連続予告カウンタ８２が設けられている。
【００４４】
さらに、主制御ＲＡＭ５４には、後述するカウンタ値記憶エリア９４のうち一組のカウンタ値（後述する）が記憶されているカウンタ値記憶エリア９４の数に対応した数値が格納される記憶カウンタ８４が設けられている。そして、この記憶カウンタ８４のカウンタ値から１減算した数だけ保留ＬＥＤ４４が点灯されるようになっている。また、主制御ＲＡＭ５４には、連続予告の回数を数えるために利用される予告回数カウンタ８６が設けられており、始動口入賞処理の実行中に選択された連続予告パターンに応じた数値が連続予告パターンが選択された際に初期値として格納されるようになっている。そして、予告回数カウンタ８６は、予告が一回終了する毎に１ずつ減算される。更に、主制御ＲＡＭ５４には、選択された変動パターンに応じた変動時間がセットされるタイマカウンタ８８が設けられている。
【００４５】
更にまた、主制御ＲＡＭ５４には、連続予告が行われるいるか否かを示す連続予告フラグ９０が設けられており、この連続予告フラグ９０には、「０」か「１」の何れかの数値が格納されるようになっている。そして、連続予告フラグ９０の値が「０」である場合には、連続予告が行われていないことを示す一方、連続予告フラグ９０の値が「１」である場合には、連続予告が行われていることを示すようになっている。なお、以下の説明において、「連続予告フラグ９０をＯＮにする」とは、連続予告フラグ９０の値を「１」にすることをいい、「連続予告フラグ９０をＯＦＦにする」とは、連続予告フラグ９０の値を「０」にすることをいう。
【００４６】
さらに、主制御ＲＡＭ５４には、特別図柄４２ａ，ｂおよび装飾図柄４０ａ〜ｃが変動中であるか否かを示す変動処理フラグ９２が設けられており、この変動処理フラグ９２には、「０」か「１」の何れかの数値が格納されるようになっている。そして、変動処理フラグ９２の値が「０」である場合には、特別図柄４２ａ，ｂおよび装飾図柄４０ａ〜ｃが変動中でないことを示す一方、変動処理フラグ９２の値が「１」である場合には、特別図柄４２ａ，ｂおよび装飾図柄４０ａ〜ｃが変動中であることを示すようになっている。なお、以下の説明において、「変動処理フラグ９２をＯＮにする」とは、変動処理フラグ９２の値を「１」にすることをいい、「変動処理フラグ９２をＯＦＦにする」とは、変動処理フラグ９２の値を「０」にすることをいう。
【００４７】
更にまた、主制御ＲＡＭ５４には、連続予告パターンを送信したか否か示す連続予告パターン送信フラグ９３が設けられており、この連続予告パターン送信フラグ９３には、「０」か「１」の何れかの数値が格納されるようになっている。そして、連続予告パターン送信フラグ９３の値が「０」である場合には、連続予告パターンを送信していないことを示す一方、連続予告パターン送信フラグ９３の値が「１」である場合には、連続予告パターンを送信していることを示すようになっている。なお、以下の説明において、「連続予告パターン送信フラグ９３をＯＮにする」とは、連続予告パターン送信フラグ９３の値を「１」にすることをいい、「連続予告パターン送信フラグ９３をＯＦＦにする」とは、連続予告パターン送信フラグ９３の値を「０」にすることをいう。
【００４８】
また、主制御ＲＡＭ５４には、遊技球が始動入賞口１２に入賞したときの大当たり判定カウンタ７６，図柄カウンタ７８，連続予告カウンタ８２の各カウンタ値が記憶される第一乃至第五のカウンタ値記憶エリア９４ａ〜ｅが設けられている。更に、主制御ＲＡＭ５４には、選択された連続予告パターンのデータを記憶しておく連続予告パターン記憶エリア９６が設けられている。更にまた、主制御ＲＡＭ５４には、選択された変動パターンのデータを記憶しておく変動パターン記憶エリア９８が設けられている。また、主制御ＲＡＭ５４には、選択された特別図柄４２ａ，ｂの停止図柄組み合わせのデータを格納する停止図柄記憶エリア１００が設けられている。
【００４９】
なお、各カウンタは、何れも、起動時に「０」にセットされると共に、連続予告フラグ９０，変動処理フラグ９２および連続予告パターン送信フラグ９３も起動時に「０」にセットされる。
【００５０】
また、主制御ＲＯＭ５２には、大当たり判定の際に用いられる大当たり判定テーブル１０２が記憶された大当たり判定テーブル記憶エリア１０３，特別図柄４２ａ，ｂの停止図柄組み合わせの選択に用いられる第一の図柄選択テーブル１０４ａが記憶された第一の図柄選択テーブル記憶エリア１０５ａ，特別図柄４２ａ，ｂの停止図柄組み合わせの選択に用いられる第二の図柄選択テーブル１０４ｂが記憶された第二の図柄選択テーブル記憶エリア１０５ｂ，連続予告をするか否かを判定する際に用いられる第一の連続予告抽選テーブル１０６ａが記憶された第一の連続予告抽選テーブル記憶エリア１０７ａ，連続予告をするか否かを判定する際に用いられる第二の連続予告抽選テーブル１０６ｂが記憶された第二の連続予告抽選テーブル記憶エリア１０７ｂ，連続予告をするか否かを判定する際に用いられる第三の連続予告抽選テーブル１０６ｃが記憶された第三の連続予告抽選テーブル記憶エリア１０７ｃ，連続予告をするか否かを判定する際に用いられる第四の連続予告抽選テーブル１０６ｄが記憶された第四の連続予告抽選テーブル記憶エリア１０７ｄ，連続予告をするか否かを判定する際に用いられる第五の連続予告抽選テーブル１０６ｅが記憶された第五の連続予告抽選テーブル記憶エリア１０７ｅ，連続予告をするか否かを判定する際に用いられる第六の連続予告抽選テーブル１０６ｆが記憶された第六の連続予告抽選テーブル記憶エリア１０７ｆ，連続予告パターンを選択する際に用いられる連続予告パターン選択テーブル１０８が記憶された連続予告パターン選択テーブル記憶エリア１０９、変動パターンを選択する際に用いられる第一の変動パターン選択テーブル１１０ａが記憶された第一の変動パターン選択テーブル記憶エリア１１１ａ，変動パターンを選択する際に用いられる第二の変動パターン選択テーブル１１０ｂが記憶された第二の変動パターン選択テーブル記憶エリア１１１ｂ等が設けられている。
【００５１】
次に、表示制御回路６８のシステム構成について、図３に基づいて説明する。図３に示すように、表示制御回路６８は、表示制御ＣＰＵ１１２、表示制御ＣＰＵ１１２に接続される表示制御ＲＡＭ１１３およびプログラムＲＯＭ１１４，ＶＤＰ１１６，ＶＤＰ１１６に接続されるキャラクタＲＯＭ１１８および作業ＲＡＭ１２０，そして、出力回路１２２とから構成されている。また、表示制御ＣＰＵ１１２には、クロック信号を出力するクロック回路１２４が接続されている。
【００５２】
そして、表示制御ＣＰＵ１１２は、所定周期（例えば、４ｍｓ）毎にクロック回路１２４からクロック信号が入力された場合には、プログラムＲＯＭ１１４に記憶されているパラメータや制御プログラムに従って、後述する変動処理を含んで構成された遊技処理を実行するようになっており、それによって、主制御回路４８からの制御信号に基づいて画像の編集内容を示す制御信号を生成し、ＶＤＰ１１６との間で制御信号のやりとりを行う。また、ＶＤＰ１１６は、表示制御ＣＰＵ１１２からの制御信号に基づいて、キャラクタＲＯＭ１１８から特別図柄４２ａ，ｂや装飾図柄４０ａ〜ｃの画像データ，リーチ映像におけるキャラクタ映像等の画像データを取りだし、作業ＲＡＭ１２０を作業エリアとして編集し、これらの画像データを出力回路１２２を介して、液晶表示器１４に出力する。
【００５３】
また、表示制御ＲＡＭ１１３には、クロック回路１２４から入力されるクロック信号に基づいて「０」〜「９」まで繰り返し１ずつ加算した数値（最大値「９」の次には最小値「０」に戻る）が格納される演出選択カウンタ１２６が設けられている。
【００５４】
さらに、表示制御ＲＡＭ１１３には、クロック回路１２４から出力されるクロック信号に基づいて「０」〜「９」まで繰り返し１ずつ加算した数値（最大値「９」の次には、最小値「０」に戻る）が格納される左図柄カウンタ１２８が設けられている。更にまた、表示制御ＲＡＭ１１２には、左図柄カウンタ１２８が一周する毎に「０」〜「９」まで繰り返し１ずつ加算した数値（最大値「９」の次には、最小値「０」に戻る）が格納される中図柄カウンタ１３０が設けられている。また、表示制御ＲＡＭ１１２には、中図柄カウンタ１３０が一周する毎に「０」〜「９」まで繰り返し１ずつ加算した数値（最大値「９」の次には、最小値「０」に戻る）が格納される右図柄カウンタ１３２が設けられている。
【００５５】
また、表示制御ＲＡＭ１１３には、連続予告の回数を数えるための連続回数カウンタ１３４が設けられており、受信した連続予告パターンに基づいて、その初期値が設定されるようになっている。そして、連続回数カウンタ１３４は、予告を行う毎に１ずつ減算されていく。
【００５６】
さらに、表示制御ＲＡＭ１１３には、受信した連続予告パターンのデータを記憶する連続予告パターン記憶エリア１３６，受信した変動パターンのデータを記憶する変動パターン記憶エリア１３８，受信した特別図柄４２ａ，ｂの停止図柄組み合わせのデータを記憶する停止図柄記憶エリア１４０，選択された報知パターンのデータが記憶される報知パターン記憶エリア１４２，選択された装飾図柄組み合わせのデータが記憶される装飾図柄記憶エリア１４４が設けられている。そこにおいて、本実施形態では、装飾図柄記憶エリア１４４に記憶されるのは、各装飾図柄４０の図柄データである。
【００５７】
更にまた、表示制御ＲＡＭ１１３には、連続予告が行われるいるか否かを示す連続予告フラグ１４６が設けられており、この連続予告フラグ１４６には、「０」か「１」の何れかの数値が格納されるようになっている。そして、連続予告フラグ１４６の値が「０」である場合には、連続予告が行われていないことを示す一方、連続予告フラグ１４６の値が「１」である場合には、連続予告が行われていることを示すようになっている。なお、以下の説明において、「連続予告フラグ１４６をＯＮにする」とは、連続予告フラグ１４６の値を「１」にすることをいい、「連続予告フラグ１４６をＯＦＦにする」とは、連続予告フラグ１４６の値を「０」にすることをいう。
【００５８】
さらに、表示制御ＲＡＭ１１３には、特別図柄４２ａ，ｂおよび装飾図柄４０ａ〜ｃが変動中であるか否かを示す変動処理フラグ１４８が設けられており、この変動処理フラグ１４８には、「０」か「１」の何れかの数値が格納されるようになっている。そして、変動処理フラグ１４８の値が「０」である場合には、特別図柄４２ａ，ｂおよび装飾図柄４０ａ〜ｃが変動中でないことを示す一方、変動処理フラグ１４８の値が「１」である場合には、特別図柄４２ａ，ｂおよび装飾図柄４０ａ〜ｃが変動中であることを示すようになっている。なお、以下の説明において、「変動処理フラグ１４８をＯＮにする」とは、変動処理フラグ１４８の値を「１」にすることをいい、「変動処理フラグ１４８をＯＦＦにする」とは、変動処理フラグ１４８の値を「０」にすることをいう。
【００５９】
また、プログラムＲＯＭ１１４には、連続予告を行う際の報知パターン選択に用いられる連続予告用報知パターン選択テーブル１５２が記憶された連続予告用報知パターン選択テーブル記憶エリア１５３，第一の報知パターン選択テーブル１５４ａが記憶された第一の報知パターン選択テーブル記憶エリア１５５ａ，第二の報知パターン選択テーブル１５４ｂが記憶された第二の報知パターン選択テーブル記憶エリア１５５ｂ，第三の報知パターン選択テーブル１５４ｃが記憶された第三の報知パターン選択テーブル記憶エリア１５５ｃ，第一乃至第三の報知パターン選択テーブル１５４ａ〜ｄの何れかを選択する際に用いられるテーブル選択リスト１５６が記憶されたテーブル選択リスト記憶エリア１５７，左の装飾図柄４０ａの図柄選択に用いられる左図柄選択テーブル１５８が記憶された左図柄選択テーブル記憶エリア１５９，中の装飾図柄４０ｂの図柄選択に用いられる中図柄選択テーブル１６０が記憶された中図柄選択テーブル記憶エリア１６１，右の装飾図柄４０ｃの図柄選択に用いられる右図柄選択テーブル１６２が記憶された右図柄選択テーブル記憶エリア１６３，大当たり判定テーブル１６４が記憶された大当たり判定テーブル記憶エリア１６５，大当たり図柄選択テーブル１６６が記憶された大当たり図柄選択テーブル記憶エリア１６７，リーチハズレ判定テーブル１６８が記憶されたリーチハズレ判定テーブル記憶エリア１６９が設けられている。
【００６０】
続いて、主制御ＲＯＭ５２およびプログラムＲＯＭ１１４に設けられた各種テーブルについて説明する。
【００６１】
図４には、大当たり判定テーブル１０２が示されている。この大当たり判定テーブル１０２は、大当たり判定カウンタ７６のカウンタ値を示す「カウンタ値」と、このカウンタ値に対応する「大当たり判定」から構成されており、かかる大当たり判定テーブル１０２と取得した大当たり判定カウンタ７６のカウンタ値に基づいて大当たりであるか否かを判定するようになっている。本実施形態では、取得した大当たり判定カウンタ７６のカウンタ値が「７」の場合に「大当たり」となる一方、それ以外の数値の場合には「ハズレ」となる。
【００６２】
図５には、第一の図柄選択テーブル１０４ａが示されている。この第一の図柄選択テーブル１０４ａは、図柄カウンタ７８のカウンタ値を示す「カウンタ値」と、このカウンタ値に対応する「大当たり図柄組み合わせ」から構成されており、かかる第一の図柄選択テーブル１０４ａと取得した図柄カウンタ７８のカウンタ値に基づいて特別図柄４２ａ，ｂの大当たり図柄組み合わせを選択するようになっている。そして、本実施形態では、取得した図柄カウンタ７８のカウンタ値が「０」の場合に「××」となる一方、「１」の場合には「○○」となる。
【００６３】
図６には、第二の図柄選択テーブル１０４ｂが示されている。この第二の図柄選択テーブル１０４ｂは、図柄カウンタ７８のカウンタ値を示す「カウンタ値」と、このカウンタ値に対応する「ハズレ図柄組み合わせ」から構成されており、かかる第二の図柄選択テーブル１０４ｂと取得した図柄カウンタ７８のカウンタ値に基づいて特別図柄４２ａ，ｂのハズレ図柄組み合わせを選択するようになっている。そして、本実施形態では、取得した図柄カウンタ７８のカウンタ値が「０」の場合に「×○」となる一方、「１」の場合には「○×」となる。
【００６４】
図７には、第一の連続予告抽選テーブル１０６ａが示されている。この第一の連続予告抽選テーブル１０６ａは、連続予告カウンタ８２のカウンタ値を示す「カウンタ値」と、このカウンタ値に対応する「当落判定」から構成されており、かかる第一の連続予告抽選テーブル１０６ａと取得した連続予告カウンタ８２のカウンタ値に基づいて、取得した大当たり判定カウンタ７６のカウンタ値が大当たり数値であって、且つ、記憶カウンタ８４のカウンタ値が「３」の場合に連続予告を行うか否かを選択するようになっている。そして、本実施形態では、取得した連続予告カウンタ８２のカウンタ値が「５」，「１０」，「２５」，「５５」の場合に「連続予告を行う」となる一方、それ以外の場合には「連続予告を行わない」となる。
【００６５】
図８には、第二の連続予告抽選テーブル１０６ｂが示されている。この第二の連続予告抽選テーブル１０６ｂは、連続予告カウンタ８２のカウンタ値を示す「カウンタ値」と、このカウンタ値に対応する「当落判定」から構成されており、かかる第二の連続予告抽選テーブル１０６ｂと取得した連続予告カウンタ８２のカウンタ値に基づいて、取得した大当たり判定カウンタ７６のカウンタ値が大当たり数値であって、且つ、記憶カウンタ８４のカウンタ値が「４」の場合に連続予告を行うか否かを選択するようになっている。そして、本実施形態では、取得した連続予告カウンタ８２のカウンタ値が「５」，「１０」，「２５」，「５５」，「７７」の場合に「連続予告を行う」となる一方、それ以外の場合には「連続予告を行わない」となる。
【００６６】
図９には、第三の連続予告抽選テーブル１０６ｃが示されている。この第三の連続予告抽選テーブル１０６ｃは、連続予告カウンタ８２のカウンタ値を示す「カウンタ値」と、このカウンタ値に対応する「当落判定」から構成されており、かかる第三の連続予告抽選テーブル１０６ｃと取得した連続予告カウンタ８２のカウンタ値に基づいて、取得した大当たり判定カウンタ７６のカウンタ値が大当たり数値であって、且つ、記憶カウンタ８４のカウンタ値が「５」の場合に連続予告を行うか否かを選択するようになっている。そして、本実施形態では、取得した連続予告カウンタ８２のカウンタ値が「５」，「１０」，「２５」，「５５」，「７７」，「９９」の場合に「連続予告を行う」となる一方、それ以外の場合には「連続予告を行わない」となる。
【００６７】
図１０には、第四の連続予告抽選テーブル１０６ｄが示されている。この第四の連続予告抽選テーブル１０６ｄは、連続予告カウンタ８２のカウンタ値を示す「カウンタ値」と、このカウンタ値に対応する「当落判定」から構成されており、かかる第四の連続予告抽選テーブル１０６ｄと取得した連続予告カウンタ８２のカウンタ値に基づいて、取得した大当たり判定カウンタ７６のカウンタ値がハズレ数値であって、且つ、記憶カウンタ８４のカウンタ値が「３」の場合に連続予告を行うか否かを選択するようになっている。そして、本実施形態では、取得した連続予告カウンタ８２のカウンタ値が「５」，「５５」の場合に「連続予告を行う」となる一方、それ以外の場合には「連続予告を行わない」となる。
【００６８】
図１１には、第五の連続予告抽選テーブル１０６ｅが示されている。この第五の連続予告抽選テーブル１０６ｅは、連続予告カウンタ８２のカウンタ値を示す「カウンタ値」と、このカウンタ値に対応する「当落判定」から構成されており、かかる第五の連続予告抽選テーブル１０６ｅと取得した連続予告カウンタ８２のカウンタ値に基づいて、取得した大当たり判定カウンタ７６のカウンタ値がハズレ数値であって、且つ、記憶カウンタ８４のカウンタ値が「４」の場合に連続予告を行うか否かを選択するようになっている。そして、本実施形態では、取得した連続予告カウンタ８２のカウンタ値が「５」，「５５」，「７７」の場合に「連続予告を行う」となる一方、それ以外の場合には「連続予告を行わない」となる。
【００６９】
図１２には、第六の連続予告抽選テーブル１０６ｆが示されている。この第六の連続予告抽選テーブル１０６ｆは、連続予告カウンタ８２のカウンタ値を示す「カウンタ値」と、このカウンタ値に対応する「当落判定」から構成されており、かかる第六の連続予告抽選テーブル１０６ｆと取得した連続予告カウンタ８２のカウンタ値に基づいて、取得した大当たり判定カウンタ７６のカウンタ値がハズレ数値であって、且つ、記憶カウンタ８４のカウンタ値が「５」の場合に連続予告を行うか否かを選択するようになっている。そして、本実施形態では、取得した連続予告カウンタ８２のカウンタ値が「５」，「５５」，「７７」，「８８」の場合に「連続予告を行う」となる一方、それ以外の場合には「連続予告を行わない」となる。
【００７０】
図１３には、連続予告パターン選択テーブル１０８が示されている。この連続予告パターン選択テーブル１０８は、記憶カウンタ８４のカウンタ値を示す「カウンタ値」と、このカウンタ値に対応する「連続予告パターン」から構成されており、かかる連続予告パターン選択テーブル１０８と取得した記憶カウンタ８４のカウンタ値に基づいて連続予告パターンを選択するようになっている。そして、本実施形態では、取得した記憶カウンタ８４のカウンタ値が「３」の場合に「連続予告パターンＡ」が、「４」の場合に「連続予告パターンＢ」が、「５」の場合に「連続予告パターンＣ」が、それぞれ選択されるようになっている。
【００７１】
そこにおいて、本実施形態では、連続予告パターンＡは予告を２回連続して行うという演出方法を選択する際に、連続予告パターンＢは予告を３回連続して行うという演出方法を選択する際に、連続予告パターンＣは予告を４回連続して行うという演出方法を選択する際に、それぞれ、用いられるものである。
【００７２】
図１４には、第一の変動パターン選択テーブル１１０ａが示されている。この第一の変動パターン選択テーブル１１０ａは、変動パターン選択カウンタ８０のカウンタ値を示す「カウンタ値」と、このカウンタ値に対応する「変動パターン」から構成されており、かかる第一の変動パターン選択テーブル１１０ａと変動パターンを選択する際の変動パターン選択カウンタ８０のカウンタ値に基づいて、取得した大当たり判定カウンタ７６のカウンタ値が大当たり数値である場合に変動パターンを選択するようになっている。そして、本実施形態では、取得した変動パターン選択カウンタ８０のカウンタ値が「０」の場合に「変動パターンＡ」が、「１」，「２」の場合に「変動パターンＢ」が、「３」〜「５」の場合に「変動パターンＣ」が、それぞれ選択されるようになっている。
【００７３】
図１５には、第二の変動パターン選択テーブル１１０ｂが示されている。この第二の変動パターン選択テーブル１１０ｂは、変動パターン選択カウンタ８０のカウンタ値を示す「カウンタ値」と、このカウンタ値に対応する「変動パターン」から構成されており、かかる第二の変動パターン選択テーブル１１０ｂと変動パターンを選択する際の変動パターン選択カウンタ８０のカウンタ値に基づいて、取得した大当たり判定カウンタ７６のカウンタ値がハズレ数値である場合に変動パターンを選択するようになっている。そして、本実施形態では、取得した変動パターン選択カウンタ８０のカウンタ値が「０」〜「２」の場合に「変動パターンＡ」が、「３」，「４」の場合に「変動パターンＢ」が、「５」の場合に「変動パターンＣ」が、それぞれ選択されるようになっている。
【００７４】
そこにおいて、本実施形態では、これら変動パターンＡ，変動パターンＢおよび変動パターンＣは、それぞれ、装飾図柄４０ａ〜ｃ（特別図柄４２ａ，ｂ）の変動時間を規定するものであり、変動パターンＡ，変動パターンＢ，変動パターンＣの順番で変動時間が長くなるように設定されている。
【００７５】
図１６には、連続予告用報知パターン選択テーブル１５２が示されている。この連続予告用報知パターン選択テーブル１５２は、受信した連続予告パターンの種類と、受信した変動パターンの種類と、これら連続予告パターンの種類および変動パターン種類に対応する「報知パターン」から構成されており、連続予告用報知パターン選択テーブル１５２，受信した連続予告パターンおよび変動パターンに基づいて報知パターンを選択するようになっている。そして、本実施形態では、受信した連続予告パターンが「連続予告パターンＡ」であり、且つ、受信した変動パターンが「変動パターンＡ」である場合に「報知パターンＡ」が、受信した連続予告パターンが「連続予告パターンＡ」であり、且つ、受信した変動パターンが「変動パターンＢ」である場合に「報知パターンＢ」が、受信した連続予告パターンが「連続予告パターンＡ」であり、且つ、受信した変動パターンが「変動パターンＣ」である場合に「報知パターンＣ」が、受信した連続予告パターンが「連続予告パターンＢ」であり、且つ、受信した変動パターンが「変動パターンＡ」である場合に「報知パターンＤ」が、受信した連続予告パターンが「連続予告パターンＢ」であり、且つ、受信した変動パターンが「変動パターンＢ」である場合に「報知パターンＥ」が、受信した連続予告パターンが「連続予告パターンＢ」であり、且つ、受信した変動パターンが「変動パターンＣ」である場合に「報知パターンＦ」が、受信した連続予告パターンが「連続予告パターンＣ」であり、且つ、受信した変動パターンが「変動パターンＡ」である場合に「報知パターンＧ」が、受信した連続予告パターンが「連続予告パターンＣ」であり、且つ、受信した変動パターンが「変動パターンＢ」である場合に「報知パターンＨ」が、受信した連続予告パターンが「連続予告パターンＣ」であり、且つ、受信した変動パターンが「変動パターンＣ」である場合に「報知パターンＩ」が、それぞれ、選択されるようになっている。
【００７６】
そこにおいて、本実施形態では、報知パターンＡ〜Ｉは、それぞれ、装飾図柄４０ａ〜ｃの変動表示が開始してから数秒後に特定のキャラクタが現れる，装飾図柄４０ａ〜ｃの変動方向が異なる等、何等かの差異点が設けられているものである。
【００７７】
図１７には、第一の報知パターン選択テーブル１５４ａが示されている。この第一の報知パターン選択テーブル１５４ａは、演出選択カウンタ１２６のカウンタ値を示す「カウンタ値」と、このカウンタ値に対応する「報知パターン」から構成されており、かかる第一の報知パターン選択テーブル１５４ａと報知パターンを選択する際の演出選択カウンタ１２６のカウンタ値に基づいて報知パターンを選択するようになっている。そして、本実施形態では、演出選択カウンタ１２６のカウンタ値が「０」〜「４」の場合に「報知パターンＡ」が、演出選択カウンタ１２６のカウンタ値が「５」〜「７」の場合に「報知パターンＢ」が、演出選択カウンタ１２６のカウンタ値が「８」，「９」の場合に「報知パターンＣ」が、それぞれ、選択されるようになっている。
【００７８】
図１８には、第二の報知パターン選択テーブル１５４ｂが示されている。この第二の報知パターン選択テーブル１５４ｂは、演出選択カウンタ１２６のカウンタ値を示す「カウンタ値」と、このカウンタ値に対応する「報知パターン」から構成されており、かかる第二の報知パターン選択テーブル１５４ｂと報知パターンを選択する際の演出選択カウンタ１２６のカウンタ値に基づいて報知パターンを選択するようになっている。そして、本実施形態では、演出選択カウンタ１２６のカウンタ値が「０」，「１」の場合に「報知パターンＤ」が、演出選択カウンタ１２６のカウンタ値が「２」〜「４」の場合に「報知パターンＥ」が、演出選択カウンタ１２６のカウンタ値が「５」〜「９」の場合に「報知パターンＦ」が、それぞれ、選択されるようになっている。
【００７９】
図１９には、第三の報知パターン選択テーブル１５４ｃが示されている。この第三の報知パターン選択テーブル１５４ｃは、演出選択カウンタ１２６のカウンタ値を示す「カウンタ値」と、このカウンタ値に対応する「報知パターン」から構成されており、かかる第三の報知パターン選択テーブル１５４ｃと報知パターンを選択する際の演出選択カウンタ１２６のカウンタ値に基づいて報知パターンを選択するようになっている。そして、本実施形態では、演出選択カウンタ１２６のカウンタ値が「０」〜「２」の場合に「報知パターンＧ」が、演出選択カウンタ１２６のカウンタ値が「３」〜「６」の場合に「報知パターンＨ」が、演出選択カウンタ１２６のカウンタ値が「７」〜「９」の場合に「報知パターンＩ」が、それぞれ、選択されるようになっている。
【００８０】
図２０には、テーブル選択リスト１５６が示されている。このテーブル選択リスト１５６は、受信した変動パターンの種類を示す「変動パターン」と、この変動パターンに対応する「報知パターン選択テーブル」から構成されており、かかるテーブル選択リスト１５６と受信した変動パターンの種類に基づいて報知パターン選択テーブルを選択するようになっている。そして、本実施形態では、受信した変動パターンの種類が「変動パターンＡ」の場合に「第一の報知パターン選択テーブル」が、「変動パターンＢ」の場合に「第二の報知パターン選択テーブル」が、「変動パターンＣ」の場合に「第三の報知パターン選択テーブル」が、それぞれ、選択されるようになっている。
【００８１】
図２１には、左図柄選択テーブル１５８が示されている。この左図柄選択テーブル１５８は、左図柄カウンタ１２８のカウンタ値を示す「カウンタ値」と、このカウンタ値に対応する「左装飾図柄」から構成されており、かかる左図柄選択テーブル１５８と左装飾図柄４０ａの図柄を選択する際の左図柄カウンタ１２８のカウンタ値に基づいて左装飾図柄４０ａの図柄を選択するようになっている。そして、本実施形態では、左図柄カウンタ１２８のカウンタ値が「０」の場合に「０」が、「１」の場合に「１」が、「２」の場合に「２」が、「３」の場合に「３」が、「４」の場合に「４」が、「５」の場合に「５」が、「６」の場合に「６」が、「７」の場合に「７」が、「８」の場合に「８」が、「９」の場合に「９」が、それぞれ、左装飾図柄４０ａの図柄として選択されるようになっている。
【００８２】
図２２には、中図柄選択テーブル１６０が示されている。この中図柄選択テーブル１６０は、中図柄カウンタ１３０のカウンタ値を示す「カウンタ値」と、このカウンタ値に対応する「中装飾図柄」から構成されており、かかる中図柄選択テーブル１６０と中装飾図柄４０ｂの図柄を選択する際の中図柄カウンタ１３０のカウンタ値に基づいて中装飾図柄４０ｂの図柄を選択するようになっている。そして、本実施形態では、中図柄カウンタ１３０のカウンタ値が「０」の場合に「０」が、「１」の場合に「１」が、「２」の場合に「２」が、「３」の場合に「３」が、「４」の場合に「４」が、「５」の場合に「５」が、「６」の場合に「６」が、「７」の場合に「７」が、「８」の場合に「８」が、「９」の場合に「９」が、それぞれ、中装飾図柄４０ｂの図柄として選択されるようになっている。
【００８３】
図２３には、右図柄選択テーブル１６２が示されている。この右図柄選択テーブル１６２は、右図柄カウンタ１３２のカウンタ値を示す「カウンタ値」と、このカウンタ値に対応する「右装飾図柄」から構成されており、かかる右図柄選択テーブル１６２と右装飾図柄４０ｃの図柄を選択する際の右図柄カウンタ１３２のカウンタ値に基づいて右装飾図柄４０ｃの図柄を選択するようになっている。そして、本実施形態では、右図柄カウンタ１３２のカウンタ値が「０」の場合に「０」が、「１」の場合に「１」が、「２」の場合に「２」が、「３」の場合に「３」が、「４」の場合に「４」が、「５」の場合に「５」が、「６」の場合に「６」が、「７」の場合に「７」が、「８」の場合に「８」が、「９」の場合に「９」が、それぞれ、右装飾図柄４０ｃの図柄として選択されるようになっている。
【００８４】
図２４には、大当たり判定テーブル１６４が示されている。この大当たり判定テーブル１６４は、受信した特別図柄４２ａ，ｂの図柄組み合わせの種類を示す「図柄組み合わせ」と、この図柄組み合わせに対応する「大当たり判定」から構成されており、かかる大当たり判定テーブル１６４と受信した特別図柄４２ａ，ｂの図柄組み合わせの種類に基づいて装飾図柄４０ａ〜ｃの図柄組み合わせとして大当たりの図柄組み合わせを採用するか否かを判定する。そして、本実施形態では、受信した特別図柄４２ａ，ｂの図柄組み合わせの種類が「○○」又は「××」の場合に「大当たり」が選択される一方、「○×」又は「×○」の場合に「ハズレ」が選択されるようになっている。
【００８５】
図２５には、大当たり図柄選択テーブル１６６が示されている。この大当たり図柄選択テーブル１６８は、左図柄カウンタ１２８のカウンタ値を示す「カウンタ値」と、このカウンタ値に対応する「大当たり図柄組み合わせ」から構成されており、かかる大当たり図柄選択テーブル１６８と装飾図柄４０ａ〜ｃの大当たり図柄組み合わせを選択する際の左図柄カウンタ１２８のカウンタ値に基づいて装飾図柄４０ａ〜ｃの大当たり図柄組み合わせを選択するようになっている。そして、本実施形態では、左図柄カウンタ１２８のカウンタ値が「０」の場合に「０００」が，「１」の場合に「１１１」が、「２」の場合に「２２２」が，「３」の場合に「３３３」が、「４」の場合に「４４４」が，「５」の場合に「５５５」が、「６」の場合に「６６６」が，「７」の場合に「７７７」が、「８」の場合に「８８８」が，「９」の場合に「９９９」が、それぞれ、装飾図柄４０ａ〜ｃの図柄組み合わせとして選択されるようになっている。
【００８６】
すなわち、本実施形態では、左装飾図柄４０ａの図柄，中装飾図柄４０ｂの図柄および右装飾図柄４０ｃの図柄が、それぞれ、同じ図柄である場合を大当たりというのである。
【００８７】
図２６には、リーチハズレ判定テーブル１６８が示されている。このリーチハズレ判定テーブル１６８は、受信した変動パターンの種類を示す「変動パターン」と、この変動パターンに対応する「リーチハズレ判定」から構成されており、かかるリーチハズレ判定テーブル１６８と受信した変動パターンの種類に基づいて装飾図柄４０ａ〜ｃの図柄組み合わせとしてリーチハズレの図柄組み合わせを採用するか否かを判定する。そして、本実施形態では、受信した変動パターンの種類が「変動パターンＢ」又は「変動パターンＣ」の場合に「リーチハズレ」が選択される一方、「変動パターンＡ」の場合に「完全ハズレ」が選択されるようになっている。
【００８８】
そこにおいて、本実施形態では、リーチハズレとは、左装飾図柄４０ａの図柄と右装飾図柄４０ｃの図柄が同じ場合をいい、完全ハズレとは、左装飾図柄４０ａの図柄と右装飾図柄４０ｃの図柄がことなる場合をいう。
【００８９】
このような構造とされたパチンコ機１０の主制御ＣＰＵ５０が行う始動口入賞処理について、図２７に基づいて説明する。先ず、主制御ＣＰＵ５０は、ステップ（以下、Ｓとする）１において、始動入賞口１２に遊技球が入賞したか否かを判定する。遊技球が始動入賞口１２に入賞していない場合（Ｓ１：ＮＯ）には、主制御ＣＰＵ５０は、始動口入賞処理を終了する。
【００９０】
遊技球が始動入賞口１２に入賞している場合（Ｓ１：ＹＥＳ）には、主制御ＣＰＵ５０は、Ｓ２において、記憶カウンタ８４のカウンタ値が５であるか否か、即ち、記憶が上限であるか否かを判定する。記憶が上限である場合（Ｓ２：ＹＥＳ）には、主制御ＣＰＵ５０は、始動口入賞処理を終了する。
【００９１】
記憶が上限でない場合（Ｓ２：ＮＯ）には、主制御ＣＰＵ５０は、Ｓ３において、現在の大当たり判定カウンタ７６，図柄カウンタ７８および連続予告カウンタ８２の各カウンタ値を取得し、第一乃至第五のカウンタ値記憶エリア９４ａ〜ｅにおいて各種カウンタ値が記憶されていないカウンタ値記憶エリアであって、且つ、最先のカウンタ値記憶エリアに記憶する。
【００９２】
具体的には、第一のカウンタ値記憶エリア９４ａに各種カウンタ値が記憶されていない場合には第一のカウンタ値記憶エリア９４ａに、第一のカウンタ値記憶エリア９４ａに各種カウンタ値が記憶されている場合には第二のカウンタ値記憶エリア９４ｂに、第一及び第二のカウンタ値記憶エリア９４ａ，ｂのそれぞれに対して各種カウンタ値が記憶されている場合には第三のカウンタ値記憶エリア９４ｃに、第一乃至第三のカウンタ値記憶エリア９４ａ〜ｃのそれぞれに対して各種カウンタ値が記憶されている場合には第四のカウンタ値記憶エリア９４ｄに、第一乃至第四のカウンタ値記憶エリア９４ａ〜ｄのそれぞれに対して各種カウンタ値が記憶されている場合には第五のカウンタ値記憶エリア９４ｅに、現在の各種カウンタ７６，７８，８２のカウンタ値を記憶する。
【００９３】
そこにおいて、本実施形態では、第一のカウンタ値記憶エリア９４ａに記憶されている各種カウンタ値に基づいて装飾図柄４０ａ〜ｃと特別図柄４２ａ，ｂの変動表示および停止表示が行われるようになっていることから、第二乃至第五のカウンタ値記憶エリア９４ｂ〜ｅに各種カウンタ値が記憶される場合というのは、それらのカウンタ値に基づく装飾図柄４０ａ〜ｃと特別図柄４２ａ，ｂの変動表示および停止表示が保留されることを意味する。
【００９４】
次に、主制御ＣＰＵ５０は、Ｓ４において、記憶カウンタ８４のカウンタ値を１加算した後、Ｓ５において、記憶カウンタ８４のカウンタ値が３以上であるか否かを判定する。
【００９５】
記憶カウンタ８４のカウンタ値が３以上でない場合（Ｓ５：ＮＯ）には、主制御ＣＰＵ５０は、始動入賞口処理を終了する。記憶カウンタ８４のカウンタ値が３以上である場合（Ｓ５：ＹＥＳ）には、主制御ＣＰＵ５０は、Ｓ６において、連続予告フラグ９０がＯＮであるか否かを判定する。
【００９６】
連続予告フラグ９０がＯＮである場合（Ｓ６：ＹＥＳ）には、主制御ＣＰＵ５０は、始動入賞口処理を終了する。連続予告フラグ９０がＯＦＦである場合（Ｓ６：ＮＯ）には、主制御ＣＰＵ５０は、Ｓ７において、Ｓ３で取得および記憶した大当たり判定カウンタ７６のカウンタ値が大当たりとなる数値であるか否かを確認する。
【００９７】
大当たりである場合（Ｓ７：ＹＥＳ）には、主制御ＣＰＵ５０は、Ｓ８において、記憶カウンタ８４のカウンタ値が「３」であるか否かを判定する。記憶カウンタ８４のカウンタ値が「３」である場合（Ｓ８：ＹＥＳ）には、主制御ＣＰＵ５０は、Ｓ９において、第一の連続予告抽選テーブル１０６ａをセットした後、Ｓ１８以降の処理を実行する。記憶カウンタ８４のカウンタ値が「３」でない場合（Ｓ８：ＮＯ）には、主制御ＣＰＵ５０は、Ｓ１０において、記憶カウンタ８４のカウンタ値が「４」であるか否かを判定する。記憶カウンタ８４のカウンタ値が「４」である場合（Ｓ１０：ＹＥＳ）には、主制御ＣＰＵ５０は、Ｓ１１において、第二の連続予告抽選テーブル１０６ｂをセットした後、Ｓ１８以降の処理を実行する。記憶カウンタ８４のカウンタ値が「４」でない、即ち、記憶カウンタ８４のカウンタ値が「５」である場合（Ｓ１０：ＮＯ）には、主制御ＣＰＵ５０は、Ｓ１２において、第三の連続予告抽選テーブル１０６ｃをセットした後、Ｓ１８以降の処理を実行する。
【００９８】
大当たりでない場合（Ｓ７：ＮＯ）には、主制御ＣＰＵ５０は、Ｓ１３において、記憶カウンタ８４のカウンタ値が「３」であるか否かを判定する。記憶カウンタ８４のカウンタ値が３である場合（Ｓ１３：ＹＥＳ）には、主制御ＣＰＵ５０は、Ｓ１４において、第四の連続予告抽選テーブル１０６ｄをセットした後、Ｓ１８以降の処理を実行する。記憶カウンタ８４のカウンタ値が「３」でない場合（Ｓ１４：ＮＯ）には、主制御ＣＰＵ５０は、Ｓ１５において、記憶カウンタ８４のカウンタ値が「４」であるか否かを判定する。記憶カウンタ８４のカウンタ値が「４」である場合（Ｓ１５：ＹＥＳ）には、主制御ＣＰＵ５０は、Ｓ１６において、第五の連続予告抽選テーブル１０６ｅをセットした後、Ｓ１８以降の処理を実行する。記憶カウンタ８４のカウンタ値が「４」でない、即ち、記憶カウンタ８４のカウンタ値が「５」である場合（Ｓ１５：ＮＯ）には、主制御ＣＰＵ５０は、Ｓ１７において、第六の連続予告抽選テーブル１０６ｆをセットした後、Ｓ１８以降の処理を実行する。
【００９９】
次に、主制御ＣＰＵ５０は、Ｓ１８において、Ｓ３で取得した連続予告カウンタ８２のカウンタ値と、Ｓ９，Ｓ１１，Ｓ１２，Ｓ１４，Ｓ１６およびＳ１７の何れかでセットされた第一乃至第六の連続予告抽選テーブル１０６ａ〜ｆの何れかに基づいて連続予告を行うか否かを抽選する。連続予告を行わない場合（Ｓ１８：ＮＯ）には、主制御ＣＰＵ５０は、始動入賞口処理を終了する。
【０１００】
連続予告を行う場合（Ｓ１８：ＹＥＳ）には、主制御ＣＰＵ５０は、Ｓ１９において、連続予告フラグ９０をＯＮにした後、Ｓ２０において、予告回数カウンタ８２のカウンタ値を記憶カウンタ８４のカウンタ値から１減算した数値に設定する。そして、主制御ＣＰＵ５０は、Ｓ２１において、連続予告パターン選択テーブル１０７と記憶カウンタ８４のカウンタ値に基づいて連続予告パターンを選択して、選択した連続予告パターンを連続予告パターン記憶エリア９６に記憶した後、始動口入賞処理を終了する。
【０１０１】
続いて、主制御ＣＰＵ５０が行う表示処理について、図２８に基づいて説明する。先ず、主制御ＣＰＵ５０は、Ｓ３１において、記憶カウンタ８４のカウンタ値が「１」以上であるか否かを判定し、「１」以上でない場合（Ｓ３１：ＮＯ）には、表示処理を終了する一方、「１」以上である場合（Ｓ３１：ＹＥＳ）には、Ｓ３２において、変動処理フラグ９２がＯＮであるか否かを判定する。
【０１０２】
変動処理フラグ９２がＯＦＦである場合（Ｓ３２：ＮＯ）には、主制御ＣＰＵ５０は、Ｓ３３において、変動処理フラグ９２をＯＮにした後、Ｓ３４において、第一のカウンタ値記憶エリア９４ａに記憶されている大当たり判定カウンタ７６のカウンタ値と大当たり判定テーブル１０２に基づいて大当たりであるか否かを判定する。
【０１０３】
大当たりである場合（Ｓ３４：ＹＥＳ）には、主制御ＣＰＵ５０は、Ｓ３５において、第一のカウンタ値記憶エリア９４ａに記憶された図柄カウンタ７８のカウンタ値と第一の図柄選択テーブル１０４ａに基づいて特別図柄４２ａ，ｂの大当たり図柄組み合わせを選択し、選択した大当たり図柄組み合わせを停止図柄記憶エリア１００に記憶する。次に、主制御ＣＰＵ５０は、Ｓ３６において、連続予告フラグ９０がＯＮであるか否かを判定する。
【０１０４】
連続予告フラグ９０がＯＮである場合（Ｓ３６：ＹＥＳ）には、主制御ＣＰＵ５０は、Ｓ３７において、連続予告パターン送信フラグ９３がＯＮであるか否かを判定する。連続予告パターン送信フラグ９３がＯＦＦである場合（Ｓ３７：ＮＯ）には、主制御ＣＰＵ５０は、Ｓ３８において、連続予告パターン記憶エリア９６に記憶された連続予告パターンを表示制御ＣＰＵ１１２に送信し、Ｓ３９において、連続予告パターン送信フラグ９３をＯＮにする。その後、主制御ＣＰＵ５０は、Ｓ４０において、現在の変動パターン選択カウンタ８０のカウンタ値と第一の変動パターン選択テーブル１０８ａに基づいて変動パターンを選択し、選択した変動パターンを変動パターン記憶エリア９８に記憶した後、Ｓ４７以降の処理を実行する。
【０１０５】
連続予告パターン送信フラグ９３がＯＮである場合（Ｓ３７：ＹＥＳ）には、主制御ＣＰＵ５０は、Ｓ４０以降の処理を実行する。連続予告フラグ９０がＯＦＦである場合（Ｓ３６：ＮＯ）には、主制御ＣＰＵ５０は、Ｓ４０以降の処理を実行する。
【０１０６】
大当たりでない場合（Ｓ３４：ＮＯ）には、主制御ＣＰＵ５０は、Ｓ４１において、第一のカウンタ値記憶エリア９４ａに記憶された図柄カウンタ７８のカウンタ値と第二の図柄選択テーブル１０４ｂに基づいて特別図柄４２ａ，ｂのハズレ図柄組み合わせを選択し、選択したハズレ図柄組み合わせを停止図柄記憶エリア１００に記憶する。次に、主制御ＣＰＵ５０は、Ｓ４２において、連続予告フラグ９０がＯＮであるか否かを判定する。
【０１０７】
そして、主制御ＣＰＵ５０は、連続予告フラグ９０がＯＮである場合（Ｓ４２：ＹＥＳ）には、Ｓ４３において、連続予告パターン送信フラグがＯＮであるか否かを判定する。連続予告パターン送信フラグ９３がＯＦＦである場合（Ｓ４３：ＮＯ）には、主制御ＣＰＵ５０は、Ｓ４４において、連続予告パターン記憶エリア９６に記憶された連続予告パターンを表示制御ＣＰＵ１１２に送信し、Ｓ４５において、連続予告パターン送信フラグ９３をＯＮにする。その後、主制御ＣＰＵ５０は、Ｓ４６において、現在の変動パターン選択カウンタ８０のカウンタ値と第一の変動パターン選択テーブル１０８ａに基づいて変動パターンを選択し、選択した変動パターンを変動パターン記憶エリア９８に記憶した後、Ｓ４７以降の処理を実行する。
【０１０８】
連続予告パターン送信フラグ９３がＯＮである場合（Ｓ４３：ＹＥＳ）には、主制御ＣＰＵ５０は、Ｓ４６以降の処理を実行する。連続予告フラグ９０がＯＦＦである場合（Ｓ４２：ＮＯ）には、主制御ＣＰＵ５０は、Ｓ４６以降の処理を実行する。
【０１０９】
次に、主制御ＣＰＵ５０は、Ｓ４７において、変動パターン記憶エリア９８に記憶されている変動パターンのデータを表示制御ＣＰＵ１１２に送信した後、Ｓ４８において、停止図柄記憶エリア１００に記憶された特別図柄４２ａ，ｂの図柄組み合わせのデータを表示制御ＣＰＵ１１２に送信する。
【０１１０】
そして、主制御ＣＰＵ５０は、Ｓ４９において、表示制御ＣＰＵ１１２に送信した変動パターン毎の変動時間をタイマカウンタ８８にセットした後、表示処理を終了する。
【０１１１】
変動処理フラグ９２がＯＮである場合（Ｓ３２：ＹＥＳ）には、主制御ＣＰＵ５０は、Ｓ５０において、タイマカウンタ８８が０であるか否か、即ち、変動時間が終了したか否かを判定する。変動時間が終了していない場合（Ｓ５０：ＮＯ）には、主制御ＣＰＵ５０は、Ｓ５１において、タイマカウンタ８８の数値を１減算した後、表示処理を終了する。
【０１１２】
変動時間が終了している場合（Ｓ５０：ＹＥＳ）には、主制御ＣＰＵ５０は、Ｓ５２において、装飾図柄４０ａ〜ｃおよび特別図柄４２ａ，ｂの変動を停止させるための変動停止コマンドを表示制御ＣＰＵ１１２に送信した後、Ｓ５３において、変動処理フラグ９２をＯＦＦにする。次に、主制御ＣＰＵ５０は、Ｓ５４において、連続予告フラグ９０がＯＮになっているか否かを判定する。
【０１１３】
連続予告フラグ９０がＯＮの場合（Ｓ５４：ＹＥＳ）には、主制御ＣＰＵ５０は、Ｓ５５において、予告回数カウンタ８６のカウンタ値を１減算した後、Ｓ５６において、予告回数カウンタ８６のカウンタ値が「０」であるか否かを判定する。
【０１１４】
予告回数カウンタ８６のカウンタ値が「０」でない場合（Ｓ５６：ＮＯ）には、主制御ＣＰＵ５０は、Ｓ５９以降の処理を実行する。予告回数カウンタ８６のカウンタ値が「０」である場合（Ｓ５６：ＹＥＳ）には、主制御ＣＰＵ５０は、Ｓ５７において、連続予告フラグ９０をＯＦＦにし、Ｓ５８において、連続予告パターン送信フラグ９３をＯＦＦにした後、Ｓ５９以降の処理を実行する。
【０１１５】
次に、主制御ＣＰＵ５０は、Ｓ５９において、第一のカウンタ値記憶エリア９４ａに格納されている各種カウンタ値を消去した後、Ｓ６０において、記憶カウンタ８４のカウンタ値が２以上であるか否かを判定する。記憶カウンタ８４のカウンタ値が２以上でない場合（Ｓ６０：ＮＯ）には、主制御ＣＰＵ５０は、Ｓ６２以降の処理を実行する。
【０１１６】
記憶カウンタ８４のカウンタ値が２以上である場合（Ｓ６０：ＹＥＳ）には、主制御ＣＰＵ５０は、Ｓ６１において、第二乃至第五のカウンタ値記憶エリア９４ｂ〜ｅに記憶されている各種カウンタ値を、第一のカウンタ値記憶エリア９４ａの側に一つシフトして記憶する。
【０１１７】
具体的には、第二のカウンタ値記憶エリア９４ｂに記憶されている各種カウンタ値は第一のカウンタ値記憶エリア９４ａに、第三のカウンタ値記憶エリア９４ｃに記憶されている各種カウンタ値は第二のカウンタ値記憶エリア９４ｂに、第四のカウンタ値記憶エリア９４ｄに記憶されている各種カウンタ値は第三のカウンタ値記憶エリア９４ｃに、第五のカウンタ値記憶エリア９４ｅに記憶されている各種カウンタ値は第四のカウンタ値記憶エリア９４ｄに、それぞれ、記憶されることとなる。
【０１１８】
そして、主制御ＣＰＵは、Ｓ６２において、記憶カウンタ８４のカウンタ値を１減算した後、表示処理を終了する。
【０１１９】
続いて、表示制御ＣＰＵ１１２が実行する変動処理について、図２９に基づいて説明する。先ず、表示制御ＣＰＵ１１２は、Ｓ７１において、変動処理フラグ１４８がＯＮであるか否かを判定する。変動処理フラグ１４８がＯＦＦである場合（Ｓ７１：ＮＯ）には、表示制御ＣＰＵ１１２は、Ｓ７２において、主制御ＣＰＵ５０から変動パターンを受信したか否かを判定する。変動パターンを受信していない場合（Ｓ７２：ＮＯ）には、表示制御ＣＰＵ１１２は、変動処理を終了する。一方、変動パターンを受信した場合（Ｓ７２：ＹＥＳ）には、表示制御ＣＰＵ１１２は、Ｓ７３において、変動処理フラグ１４８をＯＮにした後、Ｓ７４において、連続予告フラグ１４６がＯＮであるか否かを判定する。
【０１２０】
連続予告フラグ１４６がＯＮでない場合（Ｓ７４：ＮＯ）、表示制御ＣＰＵ１１２は、Ｓ７５において、連続予告パターンを受信しているか否かを判定する。連続予告パターンを受信している場合（Ｓ７５：ＹＥＳ）、表示制御ＣＰＵ１１２は、Ｓ７６において、連続予告フラグ１４６をＯＮにした後、Ｓ７７において、連続回数カウンタ１３４のカウンタ値を受信した連続予告パターンに応じてセットする。
【０１２１】
具体的には、表示制御ＣＰＵ１１２は、「連続予告パターンＡ」を受信した場合に連続回数カウンタ１３４のカウンタ値を「３」に、「連続予告パターンＢ」を受信した場合に連続回数カウンタ１３４のカウンタ値を「４」に、「連続予告パターンＣ」を受信した場合に連続回数カウンタ１３４のカウンタ値を「５」に、それぞれ、セットする。
【０１２２】
続いて、表示制御ＣＰＵ１１２は、Ｓ７８において、変動パターンと連続予告パターンと連続予告用報知パターン選択テーブル１５２に基づいて報知パターンを選択し、選択した報知パターンを報知パターン記憶エリア１４２に記憶した後、Ｓ８１以降の処理を実行する。
【０１２３】
連続予告フラグ１４６がＯＮである場合（Ｓ７４：ＹＥＳ）には、表示制御ＣＰＵ１１２は、Ｓ７８以降の処理を実行する。
【０１２４】
連続予告パターンを受信していない場合（Ｓ７５：ＮＯ）には、表示制御ＣＰＵ１１２は、Ｓ７９において、受信した変動パターンとテーブル選択リスト１５６に基づいて第一乃至第三の報知パターン選択テーブル１５４ａ〜ｃの何れかを選択してセットする。
【０１２５】
続いて、表示制御ＣＰＵ１１２は、Ｓ８０において、現在の演出選択カウンタ１２６のカウンタ値とＳ７９で選択された演出選択テーブル１５４に基づいて、報知パターンを選択し、選択した報知パターンを報知パターン記憶エリア１４２に記憶した後、Ｓ８１以降の処理を実行する。
【０１２６】
次に、表示制御ＣＰＵ１１２は、Ｓ８１において、受信した特別図柄４２ａ，ｂの図柄組み合わせと大当たり判定テーブル１６４に基づいて大当たりであるか否かを判定する。大当たりである場合（Ｓ８１：ＹＥＳ）には、表示制御ＣＰＵ１１２は、Ｓ８２において、現在の左図柄カウンタ１２８のカウンタ値と大当たり図柄選択テーブル１６６に基づいて装飾図柄４０ａ〜ｃの停止図柄組み合わせを選択し、選択した停止図柄組み合わせを装飾図柄記憶エリア１４４に記憶した後、Ｓ８６以降の処理を実行する。
【０１２７】
一方、大当たりでない場合（Ｓ８１：ＮＯ）には、表示制御ＣＰＵ１１２は、Ｓ８３において、受信した変動パターンとリーチハズレ判定テーブル１７２に基づいてリーチハズレであるか否かを判定する。リーチハズレである場合（Ｓ８３：ＹＥＳ）には、表示制御ＣＰＵ１１２は、Ｓ８４において、左装飾図柄４０ａの図柄を現在の左図柄カウンタ１２８のカウンタ値と左図柄選択テーブル１５８に基づいて選択し、中装飾図柄４０ｂの図柄を現在の中図柄カウンタ１３０のカウンタ値と中図柄選択テーブル１６０に基づいて選択し、右装飾図柄４０ｃの図柄として左装飾図柄４０ａの図柄と同じ図柄を選択し、それら選択された図柄を組合わせることで構成された装飾図柄４０ａ〜ｃのリーチハズレの図柄組み合わせを装飾図柄記憶エリア１４４に記憶した後、Ｓ８６以降の処理を実行する。
【０１２８】
リーチハズレでない場合（Ｓ８３：ＮＯ）には、表示制御ＣＰＵ１１２は、Ｓ８５において、左装飾図柄４０ａの図柄を現在の左図柄カウンタ１２８のカウンタ値と左図柄選択テーブル１５８に基づいて選択し、中装飾図柄４０ｂの図柄を現在の中図柄カウンタ１３０のカウンタ値と中図柄選択テーブル１６０に基づいて選択し、右装飾図柄４０ｃの図柄を現在の右図柄カウンタ１３２のカウンタ値と右図柄選択テーブル１６２に基づいて選択し、それら選択された図柄を組合わせることで構成された装飾図柄４０ａ〜ｃの完全ハズレの図柄組み合わせを装飾図柄記憶エリア１４４に記憶した後、Ｓ８６以降の処理を実行する。
【０１２９】
そして、表示制御ＣＰＵ１１２は、Ｓ８６において、変動パターン記憶エリア１３８に記憶された変動パターンのデータ，停止図柄記憶エリア１４０に記憶された特別図柄４２ａ，ｂの図柄組み合わせのデータ，報知パターン記憶エリア１４２に記憶された報知パターンのデータ，装飾図柄記憶エリア１４４に記憶された装飾図柄４０ａ〜ｃの図柄組み合わせのデータをＶＤＰ１１６に送信して、特別図柄４２ａ，ｂの変動表示および装飾図柄４０ａ〜ｃの変動表示をＶＤＰ１１６に開始させるための変動開始処理を実行した後、変動処理を終了する。
【０１３０】
変動処理フラグ１４８がＯＮである場合（Ｓ７１：ＹＥＳ）には、表示制御ＣＰＵ１１２は、Ｓ８７において、主制御ＣＰＵ５０から変動停止コマンドを受信したか否かを判定する。変動停止コマンドを受信していない場合（Ｓ８７：ＮＯ）には、表示制御ＣＰＵ１１２は、変動処理を終了する。
【０１３１】
変動停止コマンドを受信した場合（Ｓ８７：ＹＥＳ）には、表示制御ＣＰＵ１１２は、Ｓ８８において、特別図柄４２ａ，ｂの停止表示と装飾図柄４０ａ〜ｃの停止表示を行う。次に、表示制御ＣＰＵ１１２は、Ｓ８９において、報知パターン記憶エリア１４２ａに記憶されている報知パターンのデータ、装飾図柄記憶エリア１４４に記憶されている装飾図柄組み合わせのデータ、変動パターン記憶エリア１３８に記憶されている変動パターンのデータ、停止図柄記憶エリア１４０に記憶されている停止図柄組み合わせのデータをそれぞれ消去する各種データ消去処理を実行した後、Ｓ９０において、変動処理フラグをＯＦＦにする。
【０１３２】
続いて、表示制御ＣＰＵ１１２は、Ｓ９１において、連続予告フラグ１４６がＯＮであるか否かを判定する。連続予告フラグ１４６がＯＮである場合（Ｓ９１：ＹＥＳ）には、表示制御ＣＰＵ１１２は、Ｓ９２において、連続回数カウンタ１３４のカウンタ値を１減算した後、Ｓ９３において、連続回数カウンタ１３４のカウンタ値が「０」であるか否かを判定する。
【０１３３】
連続回数カウンタ１３４のカウンタ値が「０」である場合（Ｓ９３：ＹＥＳ）には、表示制御ＣＰＵ１１２は、Ｓ９４において、連続予告フラグ１４６をＯＦＦにした後、変動処理を終了する。一方、連続回数カウンタ１３４のカウンタ値が「０」でない場合（Ｓ９３：ＮＯ）には、表示制御ＣＰＵ１１２は、変動処理を終了する。
【０１３４】
連続予告フラグ１４６がＯＦＦである場合（Ｓ９１：ＮＯ）には、表示制御ＣＰＵ１１２は、変動処理を終了する。
【０１３５】
上述の説明から明らかなように、本実施形態では、主制御ＣＰＵ５０がＳ３９の制御処理を実行することで、或いは、主制御ＣＰＵ５０がＳ４５の制御処理を実行することで変動時間決定手段が構成されている。更に、本実施形態では、主制御ＣＰＵ５０がＳ３において各種カウンタ値を第二乃至第五のカウンタ値記憶エリア９４ｂ〜ｅに記憶する処理を実行することで変動表示保留手段が構成されている。更にまた、本実施形態では、主制御ＣＰＵ５０がＳ１８の制御処理を実行することで特定演出方法決定手段が構成されている。また、本実施形態では、主制御ＣＰＵ５０がＳ６の制御処理を実行することで特定演出判定手段が構成されている。更に、本実施形態では、主制御ＣＰＵ５０がＳ２１の制御処理を実行することで特定演出種類決定手段が構成されている。
【０１３６】
また、本実施形態では、表示制御ＣＰＵ１１２が、Ｓ７９の制御処理を実行することで選択テーブル決定手段が構成されている。更にまた、本実施形態では、表示制御ＣＰＵ１１２が、Ｓ８０の制御処理を実行することで報知パターン決定手段が構成されている。また、本実施形態では、表示制御ＣＰＵ１１２がＳ７８の制御処理を実行することで報知パターン強制決定手段が構成されている。
【０１３７】
さらに、本実施形態では、特定演出方法とは、「連続予告」を意味する。
【０１３８】
更にまた、本実施形態では、主制御ＣＰＵ５０，主制御ＲＯＭ５２，主制御ＲＡＭ５４を含んで主制御部が構成されている一方、表示制御ＣＰＵ１１２，表示制御ＲＡＭ１１３，プログラムＲＯＭ１１４を含んで表示制御部が構成されている。
【０１３９】
このような構造とされたパチンコ機は、表示制御ＣＰＵ１１２が連続予告パターンと変動パターンと連続予告用報知パターン選択テーブル１５２に基づいて連続予告を行う際の報知パターンを選択するようになっており、これによって、連続予告を行う際には、一つの変動パターンに対して一つの報知パターンのみが選択されることから、設計者の意図する報知パターンに基づいて装飾図柄４０ａ〜ｃを変動表示することが可能となる。
【０１４０】
また、本実施形態では、予め連続予告パターンを表示制御ＣＰＵ１１２に送信しておくことで表示制御ＣＰＵ１１２のほうで特定の報知パターンを選択するようになっていることから、主制御ＣＰＵ５０が、特定の報知パターンが選択されるように、表示制御ＣＰＵ１１２に対して一々特定の報知パターンを指定するコマンドを送信してやる必要がなくなり、それによって、主制御ＣＰＵ５０による制御処理に必要なデータの増加を抑えることが可能となる。
【０１４１】
また、図３０には、本発明の第二の実施形態のパチンコ機に採用される主制御回路４８のブロック図が示されている。なお、以下の説明において、第一の実施形態と同様な構造とされた部材および部位については、図中に、第一の実施形態と同一の符号を付すことにより、それらの詳細な説明を省略する。
【０１４２】
本実施形態のパチンコ機に採用されている主制御回路４８の主制御ＲＡＭ５４には、第一乃至第四の連続予告用変動パターン記憶エリア１７０ａ〜ｄが設けられている。なお、本実施形態では、連続予告パターン送信フラグ９３は設けられていない。
【０１４３】
また、主制御ＲＯＭ５２には、第一の連続予告用変動パターン選択テーブル１７２ａが記憶されている第一の連続予告用変動パターン選択テーブル記憶エリア１７３ａ，第二の連続予告用変動パターン選択テーブル１７２ｂが記憶されている第二の連続予告用変動パターン選択テーブル記憶エリア１７３ｂ，第三の連続予告用変動パターン選択テーブル１７２ｃが記憶されている第三の連続予告用変動パターン選択テーブル記憶エリア１７３ｃが設けられている。
【０１４４】
さらに、主制御ＲＯＭ５２には、第一の連続予告パターン選択テーブル１７４ａが記憶されている第一の連続予告パターン選択テーブル記憶エリア１７５ａ，第二の連続予告パターン選択テーブル１７４ｂが記憶されている第二の連続予告パターン選択テーブル記憶エリア１７５ｂ，第三の連続予告パターン選択テーブル１７４ｃが記憶されている第三の連続予告パターン選択テーブル記憶エリア１７５ｃが設けられている。
【０１４５】
第一の連続予告用変動パターン選択テーブル１７２ａは、図３１に示されているように、変動パターン選択カウンタ８０のカウンタ値としての「カウンタ値」と、２回の連続した複数の装飾図柄４０ａ〜ｃにおいて用いられる変動パターンの組み合わせとしての「変動パターンの組み合わせ」によって構成されており、かかる第一の連続予告用変動パターン選択テーブル１７２ａと変動パターン選択カウンタ８０のカウンタ値に基づいて変動パターンの組み合わせを選択するようになっている。そして、本実施形態では、変動パターン選択カウンタ８０のカウンタ値が「０」〜「２」の場合に、「変動パターンの組み合わせ」として１回目の変動表示および２回目の変動表示において何れも変動パターンＢが用いられるものが選択され、変動パターン選択カウンタ８０のカウンタ値が「３」〜「５」の場合に、「変動パターンの組み合わせ」として１回目の変動表示および２回目の変動表示において何れも変動パターンＣが用いられるものが選択されるようになっている。
【０１４６】
第二の連続予告用変動パターン選択テーブル１７２ｂは、図３２に示されているように、変動パターン選択カウンタ８０のカウンタ値としての「カウンタ値」と、３回の連続した複数の装飾図柄４０ａ〜ｃにおいて用いられる変動パターンの組み合わせとしての「変動パターンの組み合わせ」によって構成されており、かかる第二の連続予告用変動パターン選択テーブル１７２ｂと変動パターン選択カウンタ８０のカウンタ値に基づいて変動パターンの組み合わせを選択するようになっている。そして、本実施形態では、変動パターン選択カウンタ８０のカウンタ値が「０」〜「２」の場合に、「変動パターンの組み合わせ」として１乃至３回目の変動表示において何れも変動パターンＢが用いられるものが選択され、変動パターン選択カウンタ８０のカウンタ値が「３」〜「５」の場合に、「変動パターンの組み合わせ」として１乃至３回目の変動表示において何れも変動パターンＣが用いられるものが選択されるようになっている。
【０１４７】
第三の連続予告用変動パターン選択テーブル１７２ｃは、図３３に示されているように、変動パターン選択カウンタ８０のカウンタ値としての「カウンタ値」と、４回の連続した複数の装飾図柄４０ａ〜ｃにおいて用いられる変動パターンの組み合わせとしての「変動パターンの組み合わせ」によって構成されており、かかる第三の連続予告用変動パターン選択テーブル１７２ｃと変動パターン選択カウンタ８０のカウンタ値に基づいて変動パターンの組み合わせを選択するようになっている。そして、本実施形態では、変動パターン選択カウンタ８０のカウンタ値が「０」〜「２」の場合に、「変動パターンの組み合わせ」として１乃至４回目の変動表示において何れも変動パターンＢが用いられるものが選択され、変動パターン選択カウンタ８０のカウンタ値が「３」〜「５」の場合に、「変動パターンの組み合わせ」として１乃至４回目の変動表示において何れも変動パターンＣが用いられるものが選択されるようになっている。
【０１４８】
第一の連続予告パターン選択テーブル１７４ａは、図３４に示されているように、変動パターン選択カウンタ８０のカウンタ値としての「カウンタ値」と、「連続予告パターンの種類」によって構成されており、かかる第一の連続予告パターン選択テーブル１７４ａと変動パターン選択カウンタ８０のカウンタ値に基づいて連続予告パターンを選択するようになっている。そして、本実施形態では、変動パターン選択カウンタ８０のカウンタ値が「０」〜「２」の場合に「連続予告２Ａ」が選択され、変動パターン選択カウンタ８０のカウンタ値が「３」〜「５」の場合に「連続予告２Ｂ」が選択されるようになっている。
【０１４９】
第二の連続予告パターン選択テーブル１７４ｂは、図３５に示されているように、変動パターン選択カウンタ８０のカウンタ値としての「カウンタ値」と、「連続予告パターンの種類」によって構成されており、かかる第二の連続予告パターン選択テーブル１７４ｂと変動パターン選択カウンタ８０のカウンタ値に基づいて連続予告パターンを選択するようになっている。そして、本実施形態では、変動パターン選択カウンタ８０のカウンタ値が「０」〜「２」の場合に「連続予告３Ａ」が選択され、変動パターン選択カウンタ８０のカウンタ値が「３」〜「５」の場合に「連続予告３Ｂ」が選択されるようになっている。
【０１５０】
第三の連続予告パターン選択テーブル１７４ｃは、図３６に示されているように、変動パターン選択カウンタ８０のカウンタ値としての「カウンタ値」と、「連続予告パターンの種類」によって構成されており、かかる第三の連続予告パターン選択テーブル１７４ｃと変動パターン選択カウンタ８０のカウンタ値に基づいて連続予告パターンを選択するようになっている。そして、本実施形態では、変動パターン選択カウンタ８０のカウンタ値が「０」〜「２」の場合に「連続予告４Ａ」が選択され、変動パターン選択カウンタ８０のカウンタ値が「３」〜「５」の場合に「連続予告４Ｂ」が選択されるようになっている。
【０１５１】
また、図３７には、本実施形態で採用される表示制御回路６８のブロック図が示されている。本実施形態の表示制御ＲＡＭ１１３には、連続予告の際に用いる報知パターンを記憶しておく第一乃至第四の連続予告用報知パターン記憶エリア１７６ａ〜ｄが設けられている。
【０１５２】
さらに、プログラムＲＯＭ１１４には、連続予告用報知パターン選択テーブル１５２が記憶される連続予告用報知パターン選択テーブル記憶エリア１５３の代わりに、第一の連続予告用報知パターン選択テーブル１７８ａが記憶されている第一の連続予告用報知パターン選択テーブル記憶エリア１７９ａ，第二の連続予告用報知パターン選択テーブル１７８ｂが記憶されている第二の連続予告用報知パターン選択テーブル記憶エリア１７９ｂ，第三の連続予告用報知パターン選択テーブル１７８ｃが記憶されている第三の連続予告用報知パターン選択テーブル記憶エリア１７９ｃ，第四の連続予告用報知パターン選択テーブル１７８ｄが記憶されている第四の連続予告用報知パターン選択テーブル記憶エリア１７９ｄ，第五の連続予告用報知パターン選択テーブル１７８ｅが記憶されている第五の連続予告用報知パターン選択テーブル記憶エリア１７９ｅ，第六の連続予告用報知パターン選択テーブル１７８ｆが記憶されている第六の連続予告用報知パターン選択テーブル記憶エリア１７９ｆが設けられている。
【０１５３】
第一の連続予告用報知パターン選択テーブル１７８ａは、図３８に示されているように、演出選択カウンタ１２６のカウンタ値としての「カウンタ値」と、２回連続して行われる複数の装飾図柄４０ａ〜ｃの変動表示において用いられる報知パターンの組み合わせとしての「報知パターンの組み合わせ」によって構成されており、連続予告パターンとして「連続予告２Ａ」を受信した際に、かかる第一の連続予告用報知パターン選択テーブル１７８ａと演出選択カウンタ１２６のカウンタ値に基づいて報知パターンの組み合わせを選択するようになっている。そして、本実施形態では、演出選択カウンタ１２６のカウンタ値が「０」〜「４」の場合に、「報知パターンの組み合わせ」として１回目の変動表示および２回目の変動表示において何れも報知パターンＤが用いられるものが、演出選択カウンタ１２６のカウンタ値が「５」〜「７」の場合に、「報知パターンの組み合わせ」として１回目の変動表示および２回目の変動表示において何れも報知パターンＥが用いられるものが、演出選択カウンタ１２６のカウンタ値が「８」，「９」の場合に、「報知パターンの組み合わせ」として１回目の変動表示および２回目の変動表示において何れも報知パターンＦが用いられるものが、それぞれ、選択されるようになっている。
【０１５４】
第二の連続予告用報知パターン選択テーブル１７８ｂは、図３９に示されているように、演出選択カウンタ１２６のカウンタ値としての「カウンタ値」と、２回連続して行われる複数の装飾図柄４０ａ〜ｃの変動表示において用いられる報知パターンの組み合わせとしての「報知パターンの組み合わせ」によって構成されており、連続予告パターンとして「連続予告２Ｂ」を受信した際に、かかる第二の連続予告用報知パターン選択テーブル１７８ｂと演出選択カウンタ１２６のカウンタ値に基づいて報知パターンの組み合わせを選択するようになっている。そして、本実施形態では、演出選択カウンタ１２６のカウンタ値が「０」〜「４」の場合に、「報知パターンの組み合わせ」として１回目の変動表示および２回目の変動表示において何れも報知パターンＧが用いられるものが、演出選択カウンタ１２６のカウンタ値が「５」〜「７」の場合に、「報知パターンの組み合わせ」として１回目の変動表示および２回目の変動表示において何れも報知パターンＨが用いられるものが、演出選択カウンタ１２６のカウンタ値が「８」，「９」の場合に、「報知パターンの組み合わせ」として１回目の変動表示および２回目の変動表示において何れも報知パターンＩが用いられるものが、それぞれ、選択されるようになっている。
【０１５５】
第三の連続予告用報知パターン選択テーブル１７８ｃは、図４０に示されているように、演出選択カウンタ１２６のカウンタ値としての「カウンタ値」と、３回連続して行われる複数の装飾図柄４０ａ〜ｃの変動表示において用いられる報知パターンの組み合わせとしての「報知パターンの組み合わせ」によって構成されており、連続予告パターンとして「連続予告３Ａ」を受信した際に、かかる第三の連続予告用報知パターン選択テーブル１７８ｃと演出選択カウンタ１２６のカウンタ値に基づいて報知パターンの組み合わせを選択するようになっている。そして、本実施形態では、演出選択カウンタ１２６のカウンタ値が「０」〜「４」の場合に、「報知パターンの組み合わせ」として１乃至３回目の変動表示において何れも報知パターンＤが用いられるものが、演出選択カウンタ１２６のカウンタ値が「５」〜「７」の場合に、「報知パターンの組み合わせ」として１乃至３回目の変動表示において何れも報知パターンＥが用いられるものが、演出選択カウンタ１２６のカウンタ値が「８」，「９」の場合に、「報知パターンの組み合わせ」として１乃至３回目の変動表示において何れも報知パターンＦが用いられるものが、それぞれ、選択されるようになっている。
【０１５６】
第四の連続予告用報知パターン選択テーブル１７８ｄは、図４１に示されているように、演出選択カウンタ１２６のカウンタ値としての「カウンタ値」と、３回連続して行われる複数の装飾図柄４０ａ〜ｃの変動表示において用いられる報知パターンの組み合わせとしての「報知パターンの組み合わせ」によって構成されており、連続予告パターンとして「連続予告３Ｂ」を受信した際に、かかる第四の連続予告用報知パターン選択テーブル１７８ｄと演出選択カウンタ１２６のカウンタ値に基づいて報知パターンの組み合わせを選択するようになっている。そして、本実施形態では、演出選択カウンタ１２６のカウンタ値が「０」〜「４」の場合に、「報知パターンの組み合わせ」として１乃至３回目の変動表示において何れも報知パターンＧが用いられるものが、演出選択カウンタ１２６のカウンタ値が「５」〜「７」の場合に、「報知パターンの組み合わせ」として１乃至３回目の変動表示において何れも報知パターンＨが用いられるものが、演出選択カウンタ１２６のカウンタ値が「８」，「９」の場合に、「報知パターンの組み合わせ」として１乃至３回目の変動表示において何れも報知パターンＩが用いられるものが、それぞれ、選択されるようになっている。
【０１５７】
第五の連続予告用報知パターン選択テーブル１７８ｅは、図４２に示されているように、演出選択カウンタ１２６のカウンタ値としての「カウンタ値」と、４回連続して行われる複数の装飾図柄４０ａ〜ｃの変動表示において用いられる報知パターンの組み合わせとしての「報知パターンの組み合わせ」によって構成されており、連続予告パターンとして「連続予告４Ａ」を受信した際に、かかる第五の連続予告用報知パターン選択テーブル１７８ｅと演出選択カウンタ１２６のカウンタ値に基づいて報知パターンの組み合わせを選択するようになっている。そして、本実施形態では、演出選択カウンタ１２６のカウンタ値が「０」〜「４」の場合に、「報知パターンの組み合わせ」として１乃至４回目の変動表示において何れも報知パターンＤが用いられるものが、演出選択カウンタ１２６のカウンタ値が「５」〜「７」の場合に、「報知パターンの組み合わせ」として１乃至４回目の変動表示において何れも報知パターンＥが用いられるものが、演出選択カウンタ１２６のカウンタ値が「８」，「９」の場合に、「報知パターンの組み合わせ」として１乃至４回目の変動表示において何れも報知パターンＦが用いられるものが、それぞれ、選択されるようになっている。
【０１５８】
第六の連続予告用報知パターン選択テーブル１７８ｆは、図４３に示されているように、演出選択カウンタ１２６のカウンタ値としての「カウンタ値」と、４回連続して行われる複数の装飾図柄４０ａ〜ｃの変動表示において用いられる報知パターンの組み合わせとしての「報知パターンの組み合わせ」によって構成されており、連続予告パターンとして「連続予告４Ｂ」を受信した際に、かかる第六の連続予告用報知パターン選択テーブル１７８ｆと演出選択カウンタ１２６のカウンタ値に基づいて報知パターンの組み合わせを選択するようになっている。そして、本実施形態では、演出選択カウンタ１２６のカウンタ値が「０」〜「４」の場合に、「報知パターンの組み合わせ」として１乃至４回目の変動表示において何れも報知パターンＧが用いられるものが、演出選択カウンタ１２６のカウンタ値が「５」〜「７」の場合に、「報知パターンの組み合わせ」として１乃至４回目の変動表示において何れも報知パターンＨが用いられるものが、演出選択カウンタ１２６のカウンタ値が「８」，「９」の場合に、「報知パターンの組み合わせ」として１乃至４回目の変動表示において何れも報知パターンＩが用いられるものが、それぞれ、選択されるようになっている。
【０１５９】
続いて、本実施形態における主制御ＣＰＵ５０の始動入賞口処理について、図４４に基づいて説明する。先ず、主制御ＣＰＵ５０は、Ｓ１０１において、始動入賞口１２に遊技球が入賞したか否かを判定する。遊技球が始動入賞口１２に入賞していない場合（Ｓ１０１：ＮＯ）には、主制御ＣＰＵ５０は、始動口入賞処理を終了する。
【０１６０】
遊技球が始動入賞口１２に入賞している場合（Ｓ１０１：ＹＥＳ）には、主制御ＣＰＵ５０は、Ｓ１０２において、記憶カウンタ８４のカウンタ値が５であるか否か、即ち、記憶が上限であるか否かを判定する。記憶が上限である場合（Ｓ１０２：ＹＥＳ）には、主制御ＣＰＵ５０は、始動口入賞処理を終了する。
【０１６１】
記憶が上限でない場合（Ｓ１０２：ＮＯ）には、主制御ＣＰＵ５０は、Ｓ１０３において、現在の大当たり判定カウンタ７６，図柄カウンタ７８および連続予告カウンタ８２の各カウンタ値を取得し、第一乃至第五のカウンタ値記憶エリア９４ａ〜ｅにおいて各種カウンタ値が記憶されていないカウンタ値記憶エリアであって、且つ、最先のカウンタ値記憶エリアに記憶する。
【０１６２】
具体的には、第一のカウンタ値記憶エリア９４ａに各種カウンタ値が記憶されていない場合には第一のカウンタ値記憶エリア９４ａに、第一のカウンタ値記憶エリア９４ａに各種カウンタ値が記憶されている場合には第二のカウンタ値記憶エリア９４ｂに、第一及び第二のカウンタ値記憶エリア９４ａ，ｂのそれぞれに対して各種カウンタ値が記憶されている場合には第三のカウンタ値記憶エリア９４ｃに、第一乃至第三のカウンタ値記憶エリア９４ａ〜ｃのそれぞれに対して各種カウンタ値が記憶されている場合には第四のカウンタ値記憶エリア９４ｄに、第一乃至第四のカウンタ値記憶エリア９４ａ〜ｄのそれぞれに対して各種カウンタ値が記憶されている場合には第五のカウンタ値記憶エリア９４ｅに、現在の各種カウンタ７６，７８，８２のカウンタ値を記憶する。
【０１６３】
そこにおいて、本実施形態では、第一のカウンタ値記憶エリア９４ａに記憶されている各種カウンタ値に基づいて装飾図柄４０ａ〜ｃと特別図柄４２ａ，ｂの変動表示および停止表示が行われるようになっていることから、第二乃至第五のカウンタ値記憶エリア９４ｂ〜ｅに各種カウンタ値が記憶される場合というのは、それらのカウンタ値に基づく装飾図柄４０ａ〜ｃと特別図柄４２ａ，ｂの変動表示および停止表示が保留されることを意味する。
【０１６４】
次に、主制御ＣＰＵ５０は、Ｓ１０４において、記憶カウンタ８４のカウンタ値を１加算した後、Ｓ１０５において、記憶カウンタ８４のカウンタ値が３以上であるか否かを判定する。
【０１６５】
記憶カウンタ８４のカウンタ値が３以上でない場合（Ｓ１０５：ＮＯ）には、主制御ＣＰＵ５０は、始動入賞口処理を終了する。記憶カウンタ８４のカウンタ値が３以上である場合（Ｓ１０５：ＹＥＳ）には、主制御ＣＰＵ５０は、Ｓ１０６において、連続予告フラグ９０がＯＮであるか否かを判定する。
【０１６６】
連続予告フラグ９０がＯＮである場合（Ｓ１０６：ＹＥＳ）には、主制御ＣＰＵ５０は、始動入賞口処理を終了する。連続予告フラグ９０がＯＦＦである場合（Ｓ１０６：ＮＯ）には、主制御ＣＰＵ５０は、Ｓ１０７において、Ｓ１０３で取得および記憶した大当たり判定カウンタ７６のカウンタ値が大当たりとなる数値であるか否かを確認する。
【０１６７】
大当たりである場合（Ｓ１０７：ＹＥＳ）には、主制御ＣＰＵ５０は、Ｓ１０８において、記憶カウンタ８４のカウンタ値が「３」であるか否かを判定する。記憶カウンタ８４のカウンタ値が「３」である場合（Ｓ１０８：ＹＥＳ）には、主制御ＣＰＵ５０は、Ｓ１０９において、第一の連続予告抽選テーブル１０６ａをセットした後、Ｓ１１８以降の処理を実行する。記憶カウンタ８４のカウンタ値が「３」でない場合（Ｓ１０８：ＮＯ）には、主制御ＣＰＵ５０は、Ｓ１１０において、記憶カウンタ８４のカウンタ値が「４」であるか否かを判定する。記憶カウンタ８４のカウンタ値が「４」である場合（Ｓ１１０：ＹＥＳ）には、主制御ＣＰＵ５０は、Ｓ１１１において、第二の連続予告抽選テーブル１０６ｂをセットした後、Ｓ１１８以降の処理を実行する。記憶カウンタ８４のカウンタ値が「４」でない、即ち、記憶カウンタ８４のカウンタ値が「５」である場合（Ｓ１１０：ＮＯ）には、主制御ＣＰＵ５０は、Ｓ１１２において、第三の連続予告抽選テーブル１０６ｃをセットした後、Ｓ１１８以降の処理を実行する。
【０１６８】
大当たりでない場合（Ｓ１０７：ＮＯ）には、主制御ＣＰＵ５０は、Ｓ１１３において、記憶カウンタ８４のカウンタ値が「３」であるか否かを判定する。記憶カウンタ８４のカウンタ値が「３」である場合（Ｓ１１３：ＹＥＳ）には、主制御ＣＰＵ５０は、Ｓ１１４において、第四の連続予告抽選テーブル１０６ｄをセットした後、Ｓ１１８以降の処理を実行する。記憶カウンタ８４のカウンタ値が「３」でない場合（Ｓ１１４：ＮＯ）には、主制御ＣＰＵ５０は、Ｓ１１５において、記憶カウンタ８４のカウンタ値が「４」であるか否かを判定する。記憶カウンタ８４のカウンタ値が「４」である場合（Ｓ１１５：ＹＥＳ）には、主制御ＣＰＵ５０は、Ｓ１１６において、第五の連続予告抽選テーブル１０６ｅをセットした後、Ｓ１１８以降の処理を実行する。記憶カウンタ８４のカウンタ値が「４」でない、即ち、記憶カウンタ８４のカウンタ値が「５」である場合（Ｓ１１５：ＮＯ）には、主制御ＣＰＵ５０は、Ｓ１１７において、第六の連続予告抽選テーブル１０６ｆをセットした後、Ｓ１１８以降の処理を実行する。
【０１６９】
次に、主制御ＣＰＵ５０は、Ｓ１１８において、Ｓ１０３で取得した連続予告カウンタ８２のカウンタ値と、Ｓ１０９，Ｓ１１１，Ｓ１１２，Ｓ１１４，Ｓ１１６およびＳ１１７の何れかでセットされた第一乃至第六の連続予告抽選テーブル１０６ａ〜ｆの何れかに基づいて連続予告を行うか否かを抽選する。連続予告を行わない場合（Ｓ１１８：ＮＯ）には、主制御ＣＰＵ５０は、始動口入賞処理を終了する。
【０１７０】
連続予告を行う場合（Ｓ１１８：ＹＥＳ）には、主制御ＣＰＵ５０は、Ｓ１１９において、連続予告フラグ９０をＯＮにした後、Ｓ１２０において、予告回数カウンタ８２のカウンタ値を記憶カウンタ８４のカウンタ値から１減算した数値に設定する。
【０１７１】
続いて、主制御ＣＰＵ５０は、Ｓ１２１において、予告回数カウンタ８２のカウンタ値が「２」であるか否かを判定する。予告回数カウンタ８２のカウンタ値が「２」である場合（Ｓ１２１：ＹＥＳ）には、主制御ＣＰＵ５０は、Ｓ１２２において、第一の連続予告用変動パターン選択テーブル１７２ａと、現在の変動パターン選択カウンタ８０のカウンタ値に基づいて変動パターンの組み合わせを選択し、選択した変動パターンの組み合わせにおいて１回目の変動表示に用いられる変動パターンを第一の連続予告用変動パターン記憶エリア１７０ａに記憶すると共に、２回目の変動表示に用いられる変動パターンを第二の連続予告用変動パターン記憶エリア１７０ｂに記憶する。
【０１７２】
続いて、主制御ＣＰＵ５０は、Ｓ１２３において、第一の連続予告パターン選択テーブル１７４ａと、現在の変動パターン選択カウンタ８０のカウンタ値に基づいて連続予告パターンを選択し、選択した連続予告パターンを連続予告パターン記憶エリア９６に記憶する。そして、主制御ＣＰＵ５０は、Ｓ１２４において、連続予告パターン記憶エリア９６に記憶してある連続予告パターンを表示制御ＣＰＵ１１２に送信した後、始動口入賞処理を終了する。
【０１７３】
予告回数カウンタ８２のカウンタ値が「２」でない場合（Ｓ１２１：ＮＯ）には、主制御ＣＰＵ５０は、Ｓ１２５において、予告回数カウンタ８２のカウンタ値が「３」であるか否かを判定する。予告回数カウンタ８２のカウンタ値が「３」である場合（Ｓ１２５：ＹＥＳ）には、主制御ＣＰＵ５０は、Ｓ１２６において、第二の連続予告用変動パターン選択テーブルと、現在の変動パターン選択カウンタ８０のカウンタ値に基づいて変動パターンの組み合わせを選択し、選択した変動パターンの組み合わせにおいて１回目の変動表示に用いられる変動パターンを第一の連続予告用変動パターン記憶エリア１７０ａに、２回目の変動表示に用いられる変動パターンを第二の連続予告用変動パターン記憶エリア１７０ｂに、３回目の変動表示に用いられる変動パターンを第三の連続予告用変動パターン記憶エリア１７０ｃに、それぞれ、記憶する。
【０１７４】
続いて、主制御ＣＰＵ５０は、Ｓ１２７において、第二の連続予告パターン選択テーブル１７４ｂと、現在の変動パターン選択カウンタ８０のカウンタ値に基づいて連続予告パターンを選択し、選択した連続予告パターンを連続予告パターン記憶エリア９６に記憶した後、Ｓ１２４以降の処理を実行する。
【０１７５】
予告回数カウンタ８２のカウンタ値が「４」である場合（Ｓ１２５：ＮＯ）には、主制御ＣＰＵ５０は、Ｓ１２８において、第三の連続予告用変動パターン選択テーブル１７２ｃと、現在の変動パターン選択カウンタ８０のカウンタ値に基づいて変動パターンの組み合わせを選択し、選択した変動パターンの組み合わせにおいて１回目の変動表示に用いられる変動パターンを第一の連続予告用変動パターン記憶エリア１７０ａに、２回目の変動表示に用いられる変動パターンを第二の連続予告用変動パターン記憶エリア１７０ｂに、３回目の変動表示に用いられる変動パターンを第三の連続予告用変動パターン記憶エリア１７０ｃに、４回目の変動表示に用いられる変動パターンを第四の連続予告用変動パターン記憶エリア１７０ｄに、それぞれ、記憶する。
【０１７６】
続いて、主制御ＣＰＵ５０は、Ｓ１２９において、第三の連続予告パターン選択テーブル１７４ｃと、現在の変動パターン選択カウンタ８０のカウンタ値に基づいて連続予告パターンを選択し、選択した連続予告パターンを連続予告パターン記憶エリアに記憶した後、Ｓ１２４以降の処理を実行する。
【０１７７】
続いて、主制御ＣＰＵ５０の表示処理について、図４５に基づいて説明する。先ず、主制御ＣＰＵ５０は、Ｓ１３１において、記憶カウンタ８４のカウンタ値が「１」以上であるか否かを判定し、「１」以上でない場合（Ｓ１３１：ＮＯ）には、表示処理を終了する一方、「１」以上である場合（Ｓ１３１：ＹＥＳ）には、Ｓ１３２において、変動処理フラグ９２がＯＮであるか否かを判定する。変動処理フラグ９２がＯＦＦである場合（Ｓ１３２：ＮＯ）には、主制御ＣＰＵ５０は、Ｓ１３３において、変動処理フラグ９２をＯＮにした後、Ｓ１３４において、第一のカウンタ値記憶エリア９４ａに記憶されている大当たり判定カウンタ７６のカウンタ値と大当たり判定テーブル１０２に基づいて大当たりであるか否かを判定する。
【０１７８】
大当たりである場合（Ｓ１３４：ＹＥＳ）には、主制御ＣＰＵ５０は、Ｓ１３５において、第一のカウンタ値記憶エリア９４ａに記憶された図柄カウンタ７８のカウンタ値と第一の図柄選択テーブル１０４ａに基づいて特別図柄４２ａ，ｂの大当たり図柄組み合わせを選択し、選択した大当たり図柄組み合わせを停止図柄記憶エリア１００に記憶する。次に、主制御ＣＰＵ５０は、Ｓ１３６において、連続予告フラグ９０がＯＮであるか否かを判定する。
【０１７９】
連続予告フラグ９０がＯＮである場合（Ｓ１３６：ＹＥＳ）には、主制御ＣＰＵ５０は、Ｓ１３７において、第一の連続予告用変動パターン記憶エリアに記憶されている変動パターンを表示制御ＣＰＵ１１２に送信する。
【０１８０】
連続予告フラグ９０がＯＦＦである場合（Ｓ１３６：ＮＯ）には、主制御ＣＰＵ５０は、Ｓ１３８において、現在の変動パターン選択カウンタ８０のカウンタ値と第一の変動パターン選択テーブル１０８ａに基づいて変動パターンを選択し、選択した変動パターンを変動パターン記憶エリア９８に記憶する。
【０１８１】
続いて、主制御ＣＰＵ５０は、Ｓ１３９において、変動パターン記憶エリア９８に記憶されている変動パターンを送信した後、Ｓ１４０において、停止図柄記憶エリア１００に記憶された図柄組み合わせのデータを表示制御ＣＰＵ１１２に送信する。
【０１８２】
そして、主制御ＣＰＵ５０は、Ｓ１４１において、表示制御ＣＰＵ１１２に送信した変動パターン毎の変動時間をタイマカウンタ８８にセットした後、表示処理を終了する。
【０１８３】
大当たりでない場合（Ｓ１３４：ＮＯ）には、主制御ＣＰＵ５０は、Ｓ１４２において、第一のカウンタ値記憶エリア９４ａに記憶された図柄カウンタ７８のカウンタ値と第二の図柄選択テーブル１０４ｂに基づいて特別図柄４２ａ，ｂのハズレ図柄組み合わせを選択し、選択したハズレ図柄組み合わせを停止図柄記憶エリア１００に記憶する。次に、主制御ＣＰＵ５０は、Ｓ１４３において、連続予告フラグ９０がＯＮであるか否かを判定する。
【０１８４】
連続予告フラグ９０がＯＮである場合（Ｓ１４３：ＹＥＳ）には、主制御ＣＰＵ５０は、Ｓ１３７以降の処理を実行する。一方、連続予告フラグ９０がＯＦＦである場合（Ｓ１４３：ＮＯ）には、主制御ＣＰＵ５０は、Ｓ１４４において、現在の変動パターン選択カウンタ８０のカウンタ値と第二の変動パターン選択テーブル１０８ａに基づいて変動パターンを選択し、選択した変動パターンを変動パターン記憶エリア９８に記憶する。そして、主制御ＣＰＵ５０は、Ｓ１４５において、変動パターン記憶エリア９８に記憶されている変動パターンを送信した後、Ｓ１４０以降の処理を実行する。
【０１８５】
変動処理フラグ９２がＯＮである場合（Ｓ１３２：ＹＥＳ）には、主制御ＣＰＵ５０は、Ｓ１４６において、タイマカウンタ８８が０であるか否か、即ち、変動時間が終了したか否かを判定する。変動時間が終了していない場合（Ｓ１４６：ＮＯ）には、主制御ＣＰＵ５０は、Ｓ１４７において、タイマカウンタ８８の数値を１減算した後、表示処理を終了する。
【０１８６】
変動時間が終了している場合（Ｓ１４６：ＹＥＳ）には、主制御ＣＰＵ５０は、Ｓ１４８において、装飾図柄４０ａ〜ｃおよび特別図柄４２ａ，ｂの変動を停止させるための変動停止コマンドを表示制御ＣＰＵ１１２に送信した後、Ｓ１４９において、変動処理フラグ９２をＯＦＦにする。次に、主制御ＣＰＵ５０は、Ｓ１５０において、連続予告フラグ９０がＯＮであるか否かを判定し、連続予告フラグ９０がＯＦＦである場合（Ｓ１５０：ＮＯ）には、Ｓ１５６以下の処理を実行する。
【０１８７】
連続予告フラグ９０がＯＮである場合（Ｓ１５０：ＹＥＳ）には、主制御ＣＰＵ５０は、Ｓ１５１において、予告回数カウンタ８６のカウンタ値を１減算した後、Ｓ１５２において、予告回数カウンタ８６のカウンタ値が「０」であるか否かを判定する。予告回数カウンタ８６のカウンタ値が「０」でない場合（Ｓ１５２：ＮＯ）には、主制御ＣＰＵ５０は、Ｓ１５３において、第一の連続予告用変動パターン記憶エリア１７０ａに記憶されている変動パターンを消去した後、Ｓ１５４において、第二乃至第四の連続予告用変動パターン記憶エリア１７０ｂ〜ｄに記憶されている変動パターンを、第一の連続予告用変動パターン記憶エリア１７０ａの側に一つシフトして記憶する。
【０１８８】
具体的には、第二の連続予告用変動パターン記憶エリア１７０ｂに記憶されている変動パターンは第一の連続予告用変動パターン記憶エリア１７０ａに、第三の連続予告用変動パターン記憶エリア１７０ｃに記憶されている変動パターンは第二の連続予告用変動パターン記憶エリア１７０ｂに、第四の連続予告用変動パターン記憶エリア１７０ｄに記憶されている変動パターンは第三の連続予告用変動パターン記憶エリア１７０ｃに、それぞれ、記憶されることとなる。
【０１８９】
そして、主制御ＣＰＵは、Ｓ１５６以降の処理を実行する。
【０１９０】
予告回数カウンタのカウンタ値が「０」である場合（Ｓ１５２：ＹＥＳ）には、表示制御ＣＰＵ１１２は、Ｓ１５５において、連続予告フラグをＯＦＦにする。
【０１９１】
続いて、主制御ＣＰＵ５０は、Ｓ１５６において、第一の連続予告用変動パターン記憶エリア１７０ａに記憶されている変動パターンのデータを消去する。次に、主制御ＣＰＵ５０は、Ｓ１５７において、第一のカウンタ値記憶エリア９４ａに格納されている各種カウンタ値を消去した後、Ｓ１５８において、記憶カウンタ８４のカウンタ値が２以上であるか否かを判定する。記憶カウンタ８４のカウンタ値が２以上でない場合（Ｓ１５８：ＮＯ）には、主制御ＣＰＵ５０は、Ｓ１６０以降の処理を実行する。
【０１９２】
記憶カウンタ８４のカウンタ値が２以上である場合（Ｓ１５８：ＹＥＳ）には、主制御ＣＰＵ５０は、Ｓ１５９において、第二乃至第五のカウンタ値記憶エリア９４ｂ〜ｅに記憶されている各種カウンタ値を、第一のカウンタ値記憶エリア９４ａの側に一つシフトして記憶する。
【０１９３】
具体的には、第二のカウンタ値記憶エリア９４ｂに記憶されている各種カウンタ値は第一のカウンタ値記憶エリア９４ａに、第三のカウンタ値記憶エリア９４ｃに記憶されている各種カウンタ値は第二のカウンタ値記憶エリア９４ｂに、第四のカウンタ値記憶エリア９４ｄに記憶されている各種カウンタ値は第三のカウンタ値記憶エリア９４ｃに、第五のカウンタ値記憶エリア９４ｅに記憶されている各種カウンタ値は第四のカウンタ値記憶エリア９４ｄに、それぞれ、記憶されることとなる。
【０１９４】
そして、主制御ＣＰＵは、Ｓ１６０において、記憶カウンタ８４のカウンタ値を１減算した後、表示処理を終了する。
【０１９５】
続いて、表示制御ＣＰＵ１１２が実行する変動処理について、図４６に基づいて説明する。先ず、表示制御ＣＰＵ１１２は、Ｓ１７１において、変動処理フラグ１４８がＯＮであるか否かを判定する。変動処理フラグ１４８がＯＦＦである場合（Ｓ１７１：ＮＯ）には、表示制御ＣＰＵ１１２は、Ｓ１７２において、主制御ＣＰＵ５０から変動パターンを受信したか否かを判定する。変動パターンを受信していない場合（Ｓ１７２：ＮＯ）には、表示制御ＣＰＵ１１２は、変動処理を終了する。一方、変動パターンを受信した場合（Ｓ１７２：ＹＥＳ）には、表示制御ＣＰＵ１１２は、Ｓ１７３において、変動処理フラグ１４８をＯＮにした後、Ｓ１７４において、連続予告フラグ１４６がＯＮであるか否かを判定する。
【０１９６】
連続予告フラグ１４６がＯＮでない場合（Ｓ１７４：ＮＯ）、表示制御ＣＰＵ１１２は、Ｓ１７５において、連続予告パターンを受信しているか否かを判定する。連続予告パターンを受信している場合（Ｓ１７５：ＹＥＳ）、表示制御ＣＰＵ１１２は、Ｓ１７６において、連続予告フラグ１４６をＯＮにした後、Ｓ１７７において、連続回数カウンタのカウンタ値を受信した連続予告パターンに応じてセットする。
【０１９７】
具体的には、表示制御ＣＰＵ１１２は、「連続予告２Ａ」又は「連続予告２Ｂ」を受信した場合に連続回数カウンタのカウンタ値を「２」に、「連続予告３Ａ」又は「連続予告３Ｂ」を受信した場合に連続回数カウンタのカウンタ値を「３」に、「連続予告４Ａ」又は「連続予告４Ｂ」を受信した場合に連続回数カウンタのカウンタ値を「５」に、それぞれ、セットする。
【０１９８】
続いて、表示制御ＣＰＵ１１２は、Ｓ１７８において、受信した連続予告パターンに応じて第一乃至第六の連続予告用報知パターン選択テーブル１７９ａ〜ｆの何れかをセットする。
【０１９９】
具体的には、表示制御ＣＰＵ１１２は、「連続予告２Ａ」を受信した場合に第一の連続予告用報知パターン選択テーブル１７９ａを、「連続予告２Ｂ」を受信した場合に第二の連続予告用報知パターン選択テーブル１７９ｂを、「連続予告３Ａ」を受信した場合に第三の連続予告用報知パターン選択テーブル１７９ｃを、「連続予告３Ｂ」を受信した場合に第四の連続予告用報知パターン選択テーブル１７９ｄを、「連続予告４Ａ」を受信した場合に第五の連続予告用報知パターン選択テーブル１７９ｅを、「連続予告４Ｂ」を受信した場合に第六の連続予告用報知パターン選択テーブル１７９ｆを、それぞれ、セットする。
【０２００】
次に、表示制御ＣＰＵ１１２は、Ｓ１７９において、現在の演出選択カウンタ１２６のカウンタ値とＳ１７８でセットした連続予告用報知パターン選択テーブル１７９に基づいて連続予告を行う際に用いる報知パターンの組み合わせを選択し、選択した報知パターンの組み合わせにおいて１回目の変動表示に用いられる報知パターンを第一の連続予告用報知パターン記憶エリア１７６ａに、２回目の変動表示に用いられる報知パターンは第二の連続予告用報知パターン記憶エリア１７６ｂに、３回目の変動表示に用いられる報知パターンは第三の連続予告用報知パターン記憶エリア１７６ｃに、４回目の変動表示に用いられる報知パターンは第四の連続予告用報知パターン記憶エリア１７６ｄに、それぞれ記憶していく。その後、表示制御ＣＰＵ１１２は、Ｓ１８２以降の処理を実行する。
【０２０１】
連続予告フラグ１４６がＯＮである場合（Ｓ１７４：ＹＥＳ）には、表示制御ＣＰＵ１１２は、Ｓ１８２以降の処理を実行する。
【０２０２】
連続予告パターンを受信していない場合（Ｓ１７５：ＮＯ）には、表示制御ＣＰＵ１１２は、Ｓ１８０において、受信した変動パターンとテーブル選択リスト１５６に基づいて第一乃至第三の報知パターン選択テーブル１５４ａ〜ｃの何れかを選択してセットする。
【０２０３】
続いて、表示制御ＣＰＵ１１２は、Ｓ１８１において、現在の演出選択カウンタ１２６のカウンタ値とＳ１８０で選択された演出選択テーブル１５４に基づいて、報知パターンを選択し、選択した報知パターンを報知パターン記憶エリア１４２に記憶した後、Ｓ１８２以降の処理を実行する。
【０２０４】
次に、表示制御ＣＰＵ１１２は、Ｓ１８２において、受信した特別図柄４２ａ，ｂの図柄組み合わせと大当たり判定テーブル１６４に基づいて大当たりであるか否かを判定する。大当たりである場合（Ｓ１８２：ＹＥＳ）には、表示制御ＣＰＵ１１２は、Ｓ１８３において、現在の左図柄カウンタ１２８のカウンタ値と大当たり図柄選択テーブル１６６に基づいて装飾図柄４０ａ〜ｃの停止図柄組み合わせを選択し、選択した停止図柄組み合わせを装飾図柄記憶エリア１４４に記憶した後、Ｓ１８７以降の処理を実行する。
【０２０５】
一方、大当たりでない場合（Ｓ１８２：ＮＯ）には、表示制御ＣＰＵ１１２は、Ｓ１８４において、受信した変動パターンとリーチハズレ判定テーブル１７２に基づいてリーチハズレであるか否かを判定する。リーチハズレである場合（Ｓ１８４：ＹＥＳ）には、表示制御ＣＰＵ１１２は、Ｓ１８５において、左装飾図柄４０ａの図柄を現在の左図柄カウンタ１２８のカウンタ値と左図柄選択テーブル１５８に基づいて選択し、中装飾図柄４０ｂの図柄を現在の中図柄カウンタ１３０のカウンタ値と中図柄選択テーブル１６０に基づいて選択し、右装飾図柄４０ｃの図柄として左装飾図柄４０ａの図柄と同じ図柄を選択し、それら選択された図柄を組合わせることで構成された装飾図柄４０ａ〜ｃのリーチハズレの図柄組み合わせを装飾図柄記憶エリア１４４に記憶した後、Ｓ１８７以降の処理を実行する。
【０２０６】
リーチハズレでない場合（Ｓ１８４：ＮＯ）には、表示制御ＣＰＵ１１２は、Ｓ１８６において、左装飾図柄４０ａの図柄を現在の左図柄カウンタ１２８のカウンタ値と左図柄選択テーブル１５８に基づいて選択し、中装飾図柄４０ｂの図柄を現在の中図柄カウンタ１３０のカウンタ値と中図柄選択テーブル１６０に基づいて選択し、右装飾図柄４０ｃの図柄を現在の右図柄カウンタ１３２のカウンタ値と右図柄選択テーブル１６２に基づいて選択し、それら選択された図柄を組合わせることで構成された装飾図柄４０ａ〜ｃの完全ハズレの図柄組み合わせを装飾図柄記憶エリア１４４に記憶した後、Ｓ１８７以降の処理を実行する。
【０２０７】
そして、表示制御ＣＰＵ１１２は、Ｓ１８７において、変動パターン記憶エリア１３８に記憶された変動パターン，停止図柄記憶エリア１４０に記憶された特別図柄４２ａ，ｂの図柄組み合わせ，報知パターン記憶エリア１４２に記憶された報知パターン又は第一の連続予告用報知パターン記憶エリアに記憶された報知パターン，装飾図柄記憶エリア１４４に記憶された装飾図柄４０ａ〜ｃの図柄組み合わせをＶＤＰ１１６に送信して、特別図柄４２ａ，ｂの変動表示および装飾図柄４０ａ〜ｃの変動表示をＶＤＰ１１６に開始させるための変動開始処理を実行した後、変動処理を終了する。
【０２０８】
なお、報知パターン記憶エリア１４２に記憶された報知パターンと、第一の連続予告用報知パターン記憶エリア１７６ａに記憶された報知パターンの何れを送信するかは、連続予告フラグ１４６の状態（ＯＮ又はＯＦＦ）によって決まるようになっており、連続予告フラグ１４６がＯＮの場合には、第一の連続予告用報知パターン記憶エリア１７６ａに記憶された報知パターンを送信する一方、連続予告フラグ１４６がＯＦＦの場合には、報知パターン記憶エリア１４２に記憶されている報知パターンを送信する。
【０２０９】
変動処理フラグ１４８がＯＮである場合（Ｓ１７１：ＹＥＳ）には、表示制御ＣＰＵ１１２は、Ｓ１８８において、主制御ＣＰＵ５０から変動停止コマンドを受信したか否かを判定する。変動停止コマンドを受信していない場合（Ｓ１８８：ＮＯ）には、表示制御ＣＰＵ１１２は、変動処理を終了する。
【０２１０】
変動停止コマンドを受信した場合（Ｓ１８８：ＹＥＳ）には、表示制御ＣＰＵ１１２は、Ｓ１８９において、特別図柄４２ａ，ｂの停止表示と装飾図柄４０ａ〜ｃの停止表示を行う。次に、表示制御ＣＰＵ１１２は、Ｓ１９０において、報知パターン記憶エリア１４２ａに記憶されている報知パターンのデータ、第一の連続予告用報知パターン記憶エリア１７６ａに記憶されている報知パターンのデータ，装飾図柄記憶エリア１４４に記憶されている装飾図柄組み合わせのデータ、変動パターン記憶エリア１３８に記憶されている変動パターンのデータ、停止図柄記憶エリア１４０に記憶されている停止図柄組み合わせのデータをそれぞれ消去する各種データ消去処理を実行した後、Ｓ１９１において、変動処理フラグ１４８をＯＦＦにする。
【０２１１】
続いて、表示制御ＣＰＵ１１２は、Ｓ１９２において、連続予告フラグ１４６がＯＮであるか否かを判定する。連続予告フラグ１４６がＯＮである場合（Ｓ１９２：ＹＥＳ）には、表示制御ＣＰＵ１１２は、Ｓ１９３において、連続回数カウンタ１３４のカウンタ値を１減算した後、Ｓ１９４において、連続回数カウンタ１３４のカウンタ値が「０」であるか否かを判定する。
【０２１２】
連続回数カウンタ１３４のカウンタ値が「０」である場合（Ｓ１９４：ＹＥＳ）には、表示制御ＣＰＵ１１２は、Ｓ１９５において、受信した連続予告パターンを消去し、Ｓ１９６において、連続予告フラグ１４６をＯＦＦにした後、変動処理を終了する。一方、連続回数カウンタ１３４のカウンタ値が「０」でない場合（Ｓ１９４：ＮＯ）には、表示制御ＣＰＵ１１２は、Ｓ１９７において、第二乃至第四の連続予告用報知パターン記憶エリアに記憶されている報知パターンを、第一の連続予告用報知パターン記憶エリア１７６ａの側に一つシフトして記憶する。
【０２１３】
具体的には、第二の連続予告用報知パターン記憶エリア１７６ｂに記憶されている報知パターンは第一の連続予告用報知パターン記憶エリア１７６ａに、第三の連続予告用報知パターン記憶エリア１７６ｃに記憶されている報知パターンは第二の連続予告用報知パターン記憶エリア１７６ｂに、第四の連続予告用報知パターン記憶エリア１７６ｄに記憶されている報知パターンは第三の連続予告用報知パターン記憶エリア１７６ｃに、それぞれ、記憶されることとなる。
【０２１４】
そして、表示制御ＣＰＵ１１２は、変動処理を終了する。
【０２１５】
また、連続予告フラグ１４６がＯＦＦである場合（Ｓ１９２：ＮＯ）には、表示制御ＣＰＵ１１２は、変動処理を終了する。
【０２１６】
上述の説明から明らかなように、本実施形態では、主制御ＣＰＵ５０がＳ１３７の制御処理を実行することで、或いは、主制御ＣＰＵ５０がＳ１４３の制御処理を実行することで変動時間決定手段が構成されている。更に、本実施形態では、主制御ＣＰＵ５０がＳ１０３において各種カウンタ値を第二乃至第五のカウンタ値記憶エリア９４ｂ〜ｅに記憶する処理を実行することで変動表示保留手段が構成されている。更にまた、本実施形態では、主制御ＣＰＵ５０がＳ１１８の制御処理を実行することで特定演出方法決定手段が構成されている。また、本実施形態では、主制御ＣＰＵ５０がＳ１０６の制御処理を実行することで特定演出判定手段が構成されている。更に、本実施形態では、主制御ＣＰＵ５０がＳ１２２，Ｓ１２６およびＳ１２８の何れかの制御処理を実行することで変動時間強制決定手段が構成されてる。更にまた、本実施形態では、種制御ＣＰＵ５０がＳ１２３，Ｓ１２７およびＳ１２９の何れかの制御処理を実行することで特定演出種類決定手段が構成されている。
【０２１７】
また、本実施形態では、表示制御ＣＰＵ１１２が、Ｓ１８０の制御処理を実行することで選択テーブル決定手段が構成されている。更にまた、本実施形態では、表示制御ＣＰＵ１１２が、Ｓ１８１の制御処理を実行することで報知パターン決定手段が構成されている。また、本実施形態では、表示制御ＣＰＵ１１２がＳ１７９の制御処理を実行することで報知パターン強制決定手段が構成されている。
【０２１８】
このような本実施形態のパチンコ機においては、連続予告を行う際の変動パターンを予め決めるようになっていることから、例えば、変動時間の長い変動パターンのみで連続予告を行う際の変動パターンを構成することが可能となり、それによって、遊技者の興味を装飾図柄４０ａ〜ｃの変動表示に惹きつけて、遊技者を楽しませることが可能となる。
【０２１９】
以上、本発明の幾つかの実施形態について詳述してきたが、これらはあくまでも例示であって、本発明は、かかる実施形態における具体的な記載によって、何等、限定的に解釈されるものではない。
【０２２０】
例えば、連続予告パターンの種類や変動パターンの種類は、前記第一及び第二の実施形態のものに限定されるものではない。
【０２２１】
さらに、前記第一及び第二の実施形態では、記憶カウンタ８４のカウンタ値が３以上、即ち、保留されている変動表示の数が２つ以上の場合から連続予告を行うか否かの抽選を行うようになっていたが、記憶カウンタ８４のカウンタ値が４以上、或いは、５以上の場合、即ち、保留されている変動表示の数が３つ以上、或いは、４つ以上ある場合から連続予告の抽選を行うようにしても良い。
【０２２２】
また、前記第一および第二の実施形態では、大当たりが発生する場合に連続予告が行われやすくなっていたが、大当たりでない場合に連続予告が行われやすくなっていても良い。具体的には、例えば、第一の実施形態において、主制御ＣＰＵ５０がＳ９において第一の連続予告抽選テーブル１０６ａの代わりに第四の連続予告抽選テーブル１０６ｄをセットする一方、主制御ＣＰＵ５０がＳ１４において第四の連続予告抽選テーブル１０６ｄをセットする代わりに第一の連続予告抽選テーブル１０６ａをセットし、主制御ＣＰＵ５０がＳ１１において第二の連続予告抽選テーブル１０６ｂの代わりに第五の連続予告抽選テーブル１０６ｅをセットする一方、主制御ＣＰＵ５０がＳ１６において第五の連続予告抽選テーブル１０６ｅの代わりに第二の連続予告抽選テーブル１０６ｂをセットし、主制御ＣＰＵ５０がＳ１２において第三の連続予告抽選テーブル１０６ｃの代わりに第六の連続予告抽選テーブル１０６ｆをセットする一方、主制御ＣＰＵ５０がＳ１７において第六の連続予告抽選テーブル１０６ｆをセットする代わりに第三の連続予告抽選テーブル１０６ｃをセットすることで有利に実現できる。このような構成を採用することにより、連続予告が行われない場合であっても、大当たりとなりやすいようにすることが可能となり、それによって、遊技者に対して連続予告が行われなくても大当たりが発生する場合が多いとの印象を与えることが可能となり、その結果、連続予告が行われていない場合であっても、遊技者に対して遊技をする楽しみを与えることが可能となる。
【０２２３】
さらに、前記第二の実施形態では、連続予告を行う際の報知パターンの組み合わせとして、同じ報知パターンのみによって構成された報知パターンの組み合わせのみが選択されるようになっていたが、互いに異なる報知パターンによって構成された報知パターンの組み合わせが選択されるようになっていても良い。
【０２２４】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【０２２５】
【図１】本発明の一実施形態としてのパチンコ機の正面図である。
【図２】図１に示されたパチンコ機の主制御回路を示すブロック図である。
【図３】図１に示されたパチンコ機の表示制御回路を示すブロック図である。
【図４】大当たり判定テーブルの一具体例である。
【図５】第一の図柄選択テーブルの一具体例である。
【図６】第二の図柄選択テーブルの一具体例である。
【図７】第一の連続予告抽選テーブルの一具体例である。
【図８】第二の連続予告抽選テーブルの一具体例である。
【図９】第三の連続予告抽選テーブルの一具体例である。
【図１０】第四の連続予告抽選テーブルの一具体例である。
【図１１】第五の連続予告抽選テーブルの一具体例である。
【図１２】第六の連続予告抽選テーブルの一具体例である。
【図１３】連続予告パターン選択テーブルの一具体例である。
【図１４】第一の変動パターン選択テーブルの一具体例である。
【図１５】第二の変動パターン選択テーブルの一具体例である。
【図１６】連続予告用報知パターン選択テーブルの一具体例である。
【図１７】第一の報知パターン選択テーブルの一具体例である。
【図１８】第二の報知パターン選択テーブルの一具体例である。
【図１９】第三の報知パターン選択テーブルの一具体例である。
【図２０】テーブル選択リストの一具体例である。
【図２１】左図柄選択テーブルの一具体例である。
【図２２】中図柄選択テーブルの一具体例である。
【図２３】右図柄選択テーブルの一具体例である。
【図２４】大当たり判定テーブルの一具体例である。
【図２５】大当たり図柄選択テーブルの一具体例である。
【図２６】リーチハズレ判定テーブルの一具体例である。
【図２７】主制御ＣＰＵが実行する始動入賞口処理を示すフローチャートである。
【図２８】主制御ＣＰＵが実行する表示処理を示すフローチャートである。
【図２９】表示制御ＣＰＵが実行する変動処理を示すフローチャートである。
【図３０】第二の実施形態のパチンコ機に採用される主制御回路のブロック図である。
【図３１】第一の連続予告用変動パターン選択テーブルの一具体例である。
【図３２】第二の連続予告用変動パターン選択テーブルの一具体例である。
【図３３】第三の連続予告用変動パターン選択テーブルの一具体例である。
【図３４】第一の連続予告パターン選択テーブルの一具体例である。
【図３５】第二の連続予告パターン選択テーブルの一具体例である。
【図３６】第三の連続予告パターン選択テーブルの一具体例である。
【図３７】第二の実施形態のパチンコ機に採用される表示制御回路のブロック図である。
【図３８】第一の連続予告用報知パターン選択テーブルの一具体例である。
【図３９】第二の連続予告用報知パターン選択テーブルの一具体例である。
【図４０】第三の連続予告用報知パターン選択テーブルの一具体例である。
【図４１】第四の連続予告用報知パターン選択テーブルの一具体例である。
【図４２】第五の連続予告用報知パターン選択テーブルの一具体例である。
【図４３】第六の連続予告用報知パターン選択テーブルの一具体例である。
【図４４】第二の実施形態で主制御ＣＰＵが実行する始動入賞口処理を示すフローチャートである。
【図４５】第二の実施形態で主制御ＣＰＵが実行する表示処理を示すフローチャートである。
【図４６】第二の実施形態で表示制御ＣＰＵが実行する変動処理を示すフローチャートである。
【符号の説明】
【０２２６】
１０  パチンコ機
１２  始動入賞口
１４  液晶表示器
２６  遊技領域
４０  装飾図柄
４２  特別図柄
４８  主制御回路
６８  表示制御回路
【図１】
2005160589.tif 000003
【図２】
2005160589.tif 000004
【図３】
2005160589.tif 000005
【図４】
2005160589.tif 000006
【図５】
2005160589.tif 000007
【図６】
2005160589.tif 000008
【図７】
2005160589.tif 000009
【図８】
2005160589.tif 000010
【図９】
2005160589.tif 000011
【図１０】
2005160589.tif 000012
【図１１】
2005160589.tif 000013
【図１２】
2005160589.tif 000014
【図１３】
2005160589.tif 000015
【図１４】
2005160589.tif 000016
【図１５】
2005160589.tif 000017
【図１６】
2005160589.tif 000018
【図１７】
2005160589.tif 000019
【図１８】
2005160589.tif 000020
【図１９】
2005160589.tif 000021
【図２０】
2005160589.tif 000022
【図２１】
2005160589.tif 000023
【図２２】
2005160589.tif 000024
【図２３】
2005160589.tif 000025
【図２４】
2005160589.tif 000026
【図２５】
2005160589.tif 000027
【図２６】
2005160589.tif 000028
【図２７】
2005160589.tif 000029
【図２８】
2005160589.tif 000030
【図２９】
2005160589.tif 000031
【図３０】
2005160589.tif 000032
【図３１】
2005160589.tif 000033
【図３２】
2005160589.tif 000034
【図３３】
2005160589.tif 000035
【図３４】
2005160589.tif 000036
【図３５】
2005160589.tif 000037
【図３６】
2005160589.tif 000038
【図３７】
2005160589.tif 000039
【図３８】
2005160589.tif 000040
【図３９】
2005160589.tif 000041
【図４０】
2005160589.tif 000042
【図４１】
2005160589.tif 000043
【図４２】
2005160589.tif 000044
【図４３】
2005160589.tif 000045
【図４４】
2005160589.tif 000046
【図４５】
2005160589.tif 000047
【図４６】
2005160589.tif 000048